(57)【要約】      （修正有）【課題】２０１１年３月１１日の東日本大震災に見られるように被災地の防波堤と家屋はことごとく流失された。これは津波の流水圧が流速の２倍の１/２に比例し、流速も１０ｍ／sec以上あるのでかなりの流水圧と揚圧力が構造物に作用しているのでこの破壊の原因を減じる技術を提供する。【解決手段】２段、３段と構造と種類の異なる防波堤を越波させて、段階的に流水圧を減衰させて、最後に本防波堤で防御する方が経済的で合理的である。１例として、前方に浮子型防波堤Ａ１１ａ、Ａ１１ｂを１又は２以上設けて越波ＴＷ１、ＴＷ２した流水圧は減衰し、更に後方の固定防波堤Ｄ１、減勢工Ｆを越波ＴＷ３〜ＴＷ５して減衰された流水圧が本堤の固定防波堤Ｂに作用するので安全で経済的な構造断面が可能となる。更に安全を見てその頂部に可動防波堤Ｃを設けている。【選択図】図１
2013122115.tif 000002
【特許請求の範囲】
【請求項１】
海浜又は離岸の所定の場所の海洋側に可動防波堤及び／又は固定防波堤を設置して前方防波堤とし、その後方陸側に前方固定防波堤と異なる種類の固定防波堤及び/又は可動防波堤の後方防波堤のいずれか又は双方を設置して２重以上の防波堤としたことを特徴とする津波防波堤。
【請求項２】
海浜又は離岸の所定の場所の海洋側に必要に応じて可動型防波堤及び/又は固定型防波堤の前方防波堤を設置し、その後方陸側に設けた波力発電装置を津波防波堤の後方防波堤とし、必要に応じて該波力発電装置自身及び/又はその周辺に固定型防波堤及び/又は可動型防波堤又は減勢工のいずれか又は双方を設けたことを特徴とする津波防波堤。
【請求項３】
１又は２以上の適宜の形状の可撓性のある材料及び/又は剛性を有する材料からなる浮子本体にアンカーとアンカー止工を設け、更に必要に応じて収納箱を設けた浮子型可動津波防波堤を前方防波堤及び/又は後方防波堤とし、必要に応じて浮子本体にアンカー遮水帯を設けたことを特徴とする請求項１又は２のいずれか１に記載の津波防波堤。
【請求項４】
離岸防波堤と海浜防波堤間及び/又は前方防波堤と後方防波堤の間のいずれか又は双方に減勢工を設けたことを特徴とする請求項１ないし３のいずれか１に記載の津波防波堤。
【請求項５】
アンカーをロープ及び/又は骨組構造又は柱、壁構造等の構造手段に、
必要に応じて遮水板を設けたアンカー手段に  防波堤の波力発電装置及び/又は可動防波堤及び/又は固定防波堤のいずれか又は双方を上部工とした築堤型防波堤を載置したことを特徴とする請求項１ないし４のいずれか１に記載の津波防波堤。
【請求項６】
津波防波堤の波力発電装置及び/又は可動防波堤及び/又は固定防波堤のいずれか又は双方を上部工とした築堤型防波堤を、浮力を有する浮子本体に載置した浮子型築堤防波堤を前記骨組等の構造手段のアンカーに載置して剛結合したり又はその間に必要に応じてロ−ラー等を設けて潮の干満に対応したり及び/又はアンカーロープで連結したことを特徴とする請求項１ないし５のいずれか１に記載の津波防波堤。
【請求項７】
適宜の形状の鞘躯体を固定型防波堤とし、該鞘躯体の中空部及び／又は外側の壁面に対応した中子躯体を嵌合し必要に応じてその間にローラー又はベアリングを取着して上下移動自在として可動型防波堤とし、該可動防波堤を鞘躯体の中空部及び/又はその周辺に設置した機器装置の動力装置を可動させて中子躯体を伸縮自在にして延伸させ、又必要に応じて中子躯体の頂部付近に適宜の形状の転倒防止装置を取着固定して双方とも上昇して所定の位置でロック固定たり、又は該中子躯体の作動後に先に設置した転倒防止装置と接合して津波に抵抗することを特徴とする請求項１ないし６のいずれか１に記載の津波防波堤。
【請求項８】
底板又は壁からから成る固定防波堤躯体の頂部又は必要に応じて設けた頂板付近に可動防波堤の躯体を起立倒伏自在とする躯体ピンと機器装置又は浮子本体又は太陽光発電装置のいずれか又は双方の設備を備え、津波時に該設備の可動により可動防波堤を起立倒伏させたことを特徴とする請求項１ないし７のいずれか１に記載の津波防波堤。
【請求項９】
底板又は壁から成る固定防波堤の壁に津波時引き波の排水をよくするために排水越流頂面を設けたことを特徴とする請求項１ないし８に記載の津波防波堤。
【請求項１０】
前記築堤防波堤に減勢工を設けてこれに深層水等を汲み上げプランクトン及び藻等を養殖して、前方防波堤と後方防波堤との間の養殖池の魚等の餌とするか、又は家畜及び人間の食料としたことを特徴とする請求項１ないし９のいずれか１に記載の津波防波堤。
【請求項１１】
前記築堤防波堤を載置した構造手段を有するアンカー躯体の海底側端部を海底地盤と切り離し移動可能な構造とし所定の場所に移動して、先に設置されたアンカー止工に連結した移動型津波防波堤。又は遮水板を有する前記築堤防波堤を浮子本体の船に載置して所定の場所でロープ等のアンカー手段で固定した移動型防波堤を可動型防波堤及び/又は固定型防波堤としたことを特徴とする請求項１ないし１０のいずれか１に記載の津波防波堤。
【請求項１２】
コンクリート又はこれらに類する材料から成る設置台又は適宜の形状の構造材から骨組みされた設置台のいずれかに回転ピンを取り付けたアプローチ水平材を設置したアプローチ設置台を、常時は波力発電装置に必要な波高の増幅に利用し、津波時は操作装置の可動によりロープ及び/又は浮子本体の作用により回転ピンを中心にアプローチ水平材が起立して津波に抵抗することを可能にした可動型防波堤であることを特徴とする請求項１ないし１０のいずれか１に記載の津波防波堤。
【請求項１３】
適宜の材料と形状で造られたブロックを水平方向及び又は鉛直方向に連結可能なマウンドブロックを組積して作られたマウンド固定型防波堤。又は公知のマウンド防波堤のいずれかのその頂面に必要に応じて前記固定防波堤及び/又は可動防波堤を載置したことを特徴とする請求項１ないし１２のいずれか１に記載の津波防波堤。  
【発明の詳細な説明】
【技術分野】
【０００１】
本発明は海岸又は沖合に設置する可動防波堤及び/又は固定防波堤のいずれか又は双方を設けて２重以上の防波堤として津波の流水圧を低減して完全に後方防波堤で防ぐか又は最悪の場合でも防ぎきれない時でも静水圧に近い状態までにして後方の防波堤を越流させるような重複防波堤である。
このために前方防波堤付近の海底或いは海上に浮子の原理を利用した浮子型の防波堤及び/又は鞘型躯体の固定型防波堤と可動型防波堤を兼ねた防波堤を設置し、津波の来襲を自動又は手動により作動させて、津波の動水圧に抗して水圧を減じることができる。
この結果住宅等に接近している後方の防波堤は環境と経済負担を考慮した低い防波堤の構築を容易に構築できる。さらに波力発電装置設置し、常時はこれに作用する波高を高くして発電量を増量するためにアプローチ設置台を設け、津波時は該発電装置及び設置台を防波堤としする等の技術を提供するものである。
【背景技術】
【０００２】
平成２３年３月１１日の東日本大震災において多大の損害を受け、特に福島原子力発電事故は住民に多大の損害と苦痛を与え、この生命と財産と苦痛が数年から数十年に及ぶことは明らかである。
この様な地震と津波は小規模で数年に１度、中規模にあっては１０年〜２０年単位で発生し、大規模にあっては数百年単位に発生している。
この様な地震と津波は天災であって日本の宿命である。だからと言って地震と津波のために生命と財産を奪われることは文明国家として許し難い。
従来まで、小規模及び中規模においてもその地震のたびに生命と財産を奪われてきた。またこのことを繰り返すことは現代の科学技術の恥であり、又日本人の恥でもある。
現在被災地においての復興計画は高台移転を中心に計画が進められているが老人、子達の学校は別として工場、商店は高台移転での生活は困難である。
被災地は世界３大漁業であり、この地の利を生かした漁業を中心にした生活が市民の利益になり強いては国益にもなる。従って海岸に近いほうが利便性は高く、市民の生活の利益になるので自然と、必然的に漁港又は海岸近くに住みつく様になる。                                                    
【発明の概要】
【発明が解決しようとする課題】
【０００３】
１．数年後、市民は必ず漁港又は海岸の従来住み慣れた場所に移住する様になる。
２．この事を前提にして、市民の財産と生命を守る地震及び津波対策が必要である。
３．被災地は国立公園に認定されるように風光明媚なところであり、生活と直接結びつく海岸が、数百年に１度の津波を防ぐために十数メートルの防波堤を築くと市民生活がうっとうしく面白くない。
４．津波で建物が破壊され、のみ込まれている状況をよく観察すると、津波の流水圧に耐えられなく破壊している。流水圧は津波の流速の二乗に比例しているので可なりの水圧となる。
しかし洪水のように少しづづ上昇する水圧に対しては流水圧がなく浮力だけなので、従来の洪水の被害状況から見て家屋の流出は見当たらない。      従って数百年に一度の津波に対してはこの浸水程度の被害を対象にすると防波堤の規模も小さくて済み経済的である。
【０００４】
５．釜石港に３０年かけて作られた湾口防波堤に波高１３．７ｍの津波が押し寄せ、この防波堤の影響により津波の波高８ｍになり津波高さを６０％までに低減し、津波到達も６分間おくらし人命が救われた。これらのデ−ターより考察すると防波堤の今後の設計は津波波高13.7ｍを直接受けるのでなく、流速のある津波波高13.7ｍを一旦別の防波堤で減速させ後方防波堤で防ぐ設計が最良と考える。このことは後方防波堤が万が一壊れても流速の遅い津波が人家に押し寄せることになり被害が少なくなる。
６．今回の東日本大震災で分かったことは津波が帰る時の流水圧で人家が流失したことである。これを解決するには沖合に船の出入りを考慮した水流調節用の可動可能な水門を設けると解決できる。
７．今回の被災地の復旧、復興のみでなく100年、200年のスパンで発展でき、市民の利益と安寧をもたらす恒久的な都市計画が必要と考える。諺にある
「禍転じて福となす」復興都市計画が必要と考える。
【０００５】
８．本発明は上記１．〜７．まで解決できる様にした発明である。東北地方はその昔、平安、鎌倉時代に栄えた藤原3代がある地域でもある。この時の繁栄は藤原氏の人徳と行政能力とさらに金が産出されたことである。現代に於いては東北人の人徳、人情深さ、朴訥さ、と和の精神があり、地理的条件として世界3大漁業であり、海溝が接近しており深層水の利用が可能で、更に自然エネルギーの宝庫で、特に波力発電に適した地域が多数存在する。今後の日本は原子力発電の再稼働が難しく、再生エネルギーに全面的に頼るしかなく東北地方で生産される再生エネルギーに依存するほかに方法はない。
本発明はこのことも可能としている。
【課題を解決するための手段】
【０００６】
本発明は海浜又は離岸の所定の場所の海洋側に可動防波堤及び／又は固定防波堤を設置して前方防波堤とし、その後方陸側に前方固定防波堤と異なる種類の固定防波堤及び/又は可動防波堤の後方防波堤のいずれか又は双方を設置して２重以上の防波堤とした津波防波堤を特徴とする。
【０００７】
又海浜又は離岸の所定の場所の海洋側に必要に応じて可動型防波堤及び/又は固定型防波堤の前方防波堤を設置し、その後方陸側に設けた波力発電装置を津波防波堤の後方防波堤とし、必要に応じて該波力発電装置自身及び/又はその周辺に固定型防波堤及び/又は可動型防波堤又は減勢工のいずれか又は双方を設けたことを特徴とする津波防波堤である。
【０００８】
更に１又は２以上の適宜の形状の可撓性のある材料及び/又は剛性を有する材料からなる浮子本体にアンカーとアンカー止工を設け、更に必要に応じて収納箱を設けた浮子型可動津波防波堤を前方防波堤及び/又は後方防波堤とし、必要に応じて浮子本体にアンカー遮水帯を設けた津波防波堤を特徴とする。
【０００９】
また離岸防波堤と海浜防波堤間及び/又は前方防波堤と後方防波堤の間のいずれか又は双方に減勢工を設けた津波防波堤を特徴とする。
【００１０】
更にアンカーをロープ及び/又は骨組構造又は柱、壁構造等の構造手段に、
必要に応じて遮水板を設けたアンカー手段に  防波堤の波力発電装置及び/又は可動防波堤及び/又は固定防波堤のいずれか又は双方を上部工とした築堤型防波堤を載置した津波防波堤を特徴とする。
【００１１】
又津波防波堤の波力発電装置及び/又は可動防波堤及び/又は固定防波堤のいずれか又は双方を上部工とした築堤型防波堤を、浮力を有する浮子本体に載置した浮子型築堤防波堤を前記骨組等の構造手段のアンカーに載置して剛結合したり又はその間をロ−ラー等を設けて潮の干満に対応したり及び/又はアンカーロープで連結した津波防波堤を特徴とする。
【００１２】
更に適宜の形状の鞘躯体を固定型防波堤とし、該鞘躯体の中空部及び／又は外側の壁面に対応した中子躯体を嵌合し必要に応じてその間にローラー又はベアリングを取着して上下移動自在として可動型防波堤とし、該可動防波堤を鞘躯体の中空部及び/又はその周辺に設置した機器装置の動力装置を可動させて中子躯体を伸縮自在にして延伸させ、又必要に応じて中子躯体の頂部付近に適宜の形状の転倒防止装置を取着固定して双方とも上昇して所定の位置でロック固定たり、又は該中子躯体の作動後に先に設置した転倒防止装置と接合して津波に抵抗する津波防波堤を特徴とする。
【００１３】
また底板又は壁からから成る固定防波堤躯体の頂部又は必要に応じて設けた頂板付近に可動防波堤の躯体を起立倒伏自在とする躯体ピンと機器装置又は浮子本体又は太陽光発電装置のいずれか又は双方の設備を備え、津波時に該設備の可動により可動防波堤を起立倒伏させた津波防波堤を特徴とする。
【００１４】
更に底板又は壁から成る固定防波堤の壁に津波時引き波の排水をよくするために排水越流頂面を設けた津波防波堤を特徴とする。
【００１５】
また前記築堤防波堤に減勢工を設けてこれに深層水等を汲み上げプランクトン及び藻等を養殖して、前方防波堤と後方防波堤との間の養殖池の魚等の餌とするか、又は家畜及び人間の食料とした津波防波堤を特徴する。
【００１６】
更に前記築堤防波堤を載置した構造手段を有するアンカー躯体の海底側端部を海底地盤と切り離し移動可能な構造とし所定の場所に移動して、先に設置されたアンカー止工に連結した移動型津波防波堤。又は遮水板を有する前記築堤防波堤を浮子本体の船に載置して所定の場所でロープ等のアンカー手段で固定した移動型防波堤を可動型防波堤及び/又は固定型防波堤とした津波防波堤を特徴とする。
【００１７】
またコンクリート又はこれらに類する材料から成る設置台又は適宜の形状の構造材から骨組みされた設置台のいずれかに回転ピンを取り付けたアプローチ水平材を設置したアプローチ設置台を、常時は波力発電装置に必要な波高の増幅に利用し、津波時は操作装置の可動によりロープ及び/又は浮子本体の作用により回転ピンを中心にアプローチ水平材が起立して津波に抵抗することを可能にした可動型防波堤である津波防波堤を特徴とする。
【００１８】
更に適宜の材料と形状で造られたブロックを水平方向及び又は鉛直方向に連結可能なマウンドブロックを組積して作られたマウンド固定型防波堤。又は公知のマウンド防波堤のいずれかのその頂面に必要に応じて前記固定防波堤及び/又は可動防波堤を載置した津波防波堤を特徴とする。  
【発明の効果】
【００１９】
本発明は可動防波堤及び／又は固定防波堤を前方防波堤とし、後方防波堤として可動型防波堤及び又は固定防波堤として津波の流水圧を２重又は３重に防御する。  
特に前方防波堤の浮子本体を利用した浮子型防波堤がその効果を発揮しているので流水圧の最後は静水圧に近い状態になるので最後の防波堤を越波しても家屋と人命は十分守れると考える
【００２０】
さらに鞘型防波堤は固定型と可動型の２つの役割をなしているので、単独で、又は双方ともに前方防波堤に及び／又は後方防波堤に適宜その目的に応じて採用できるので便利である。
例えば前方沖合の海底に固定型防波堤として設置し、津波時は中子躯体が浮上して防波堤となる。
更に美観地区に後方防波堤として採用するときは鞘躯体を土の防波堤に埋設して中子躯体天端を花壇にして美観を保ち、津波時は中子躯体が浮上して防波堤の役割をなす。
この時中子躯体と鞘躯体との係止接合は鍵型である為に係止剛性と気密性が高く、更に中子躯体天端近くに転倒防止装置を連結しているので大きな水圧に対しても十分対応できる。
【００２１】
更に海浜又は離岸の適宜の場所に波力発電装置を設け発電するが、更に発電量を増産するためにその沖合前方に傾斜のあるアプローチ設置台を海中に設けて波高を高くして発電量の増産に努め電気料金を稼ぐ。
津波時は該アプローチ設置台に付設した浮子本体とアプローチ水平材がともに浮上して該アプローチ水平材と浮子本体が可動防波堤となるので１石2,鳥の役割となる。
更に波力発電装置が固定型防波堤となったり、更に波力発電装置に備えた可動型防波堤が作動して防波堤の役割となるので津波の流水圧は必然的に減衰する。
【００２２】
前記波力発電装置、可動防波堤及び固定防波堤を適宜選定して上部工とした築堤型防波堤として浮子本体の船又は構造手段のアンカーに載置したり、又は係留したりして、ある時は構造手段のアンカーを地盤と切り離し移動型防波堤として湾口の船の出入りに使用したり、さらに該アンカーを地盤と固着して沖合防波堤として防波堤の防御能力を高める。
更にがれきを混入したマウンドブロック、又は通常コンクリートから成るマウンドブロックと隣接する該ブロックを水平方向及び/又は鉛直方向に連結してなるマウンド固定型防波堤は津波の渦流からなる揚圧力に耐える安全度の高い防波堤である。
この様に本発明の技術を使用すると「本発明が解決しようとする課題」の解決は容易に可能となった。
【図面の簡単な説明】
【００２３】
【図１】本発明の津波防波堤の築造断面図。
【図２】（ａ）  本発明の別の津波防波堤の浮子本体の斜視図。        （ｂ）  同図（ａ］のアンカー収納箱の側断面図。        （ｃ）  別のアンカー収納箱の側断面図。
【図３】（ａ）  別の津波防波堤の常時浮子本体とアンカー収納箱の設置側断面図。        （ｂ）  同図（ａ）の津波時の作動状況の側断面図。
【図４】（ａ）  別の浮子本体の斜視図。        （ｂ）  別の浮子本体の斜視図。
【図５】（ａ）  別の浮子型可動防波堤の津波可動時の状況側断面図。        （ｂ）  同図（ａ）の常時アンカー収納状況を説明する側断面図。
【図６】別の津波防波堤の側断面図。
【図７】別の津波防波堤の側断面図。
【図８】波力発電装置を津波防波堤の一部とした本発明の築造津波防波堤の側断面図。
【図９】図８の上面図。
【図１０】別の築造防波堤の側断面図。
【図１１】（ａ）本発明の波力発電型津波防波堤の津波時作動状況側断面図          （ｂ）  同図（ａ）の上面断面図。
【図１２】（ａ）  本発明の鞘型津波防波堤の常時設置状況側断面図。          （ｂ）  同図（ａ）の津波時作動状況側断面図。
【図１３】（ａ）  別の本発明の鞘型津波防波堤の常時又は中規模津波時の作                    動状況側断面図。          （ｂ）  同図（ａ）の大規模津波時の鞘型津波防波堤の作動状況側断面図。
【図１４】（ａ）本発明の別の鞘型津波防波堤の常時又は中規模津波時の作動状況側断面図。          （ｂ）同図（ａ）の大規模津波時の鞘型津波防波堤の作動状況側断面図。
【図１５】（ａ）本発明の別の鞘型津波防波堤の常時又は中規模津波時の作動状況側断面図。          （ｂ）同図（ａ）の大規模津波時の鞘型津波防波堤の作動状況側断面図。
【図１６】（ａ）本発明の別の鞘型津波防波堤の常時又は中規模津波時の作動状況側断面図。          （ｂ）同図（ａ）の大規模津波時の鞘型津波防波堤の作動状況側断面図。          （ｃ）同図（ｂ）のＡ−Ａ側断面図。
【図１７】（ａ）本発明の別の鞘型津波防波堤の常時設置状況側断面図で図１８（ａ）のＣ−Ｃ断面図。          （ｂ）同図（ａ）の津波時の作動状況側断面図。
【図１８】（ａ）同図（ｂ）のＢ−Ｂ上面断面図。          （ｂ）同図（ａ）のＡ−Ａ側断面図。
【図１９】本発明の脚柱型アンカーに築堤型津波防波堤を載置した防波堤の側断面図。
【図２０】図１９の津波時の築堤型防波堤の作動状況の側断面図。
【図２１】本発明の離岸の浮子型アプローチ設置台付築造防波堤の津波時作                状況側断面図。
【図２２】本発明の別の離岸浮子型アプローチ設置台付築造防波堤の津波時                作動状況側断面図。
【図２３】（ａ）図２２のＡ−Ａ背面図。          （ｂ）別の浮子本体の斜視図。
【図２４】本発明の浮子型アプローチ設置台付築造防波堤の側断面図。
【図２５】（ａ）図２４のＡ−Ａ断面図で常時のアプローチ設置台の設置状況図。          （ｂ）同図（ａ）の津波時作動状況側断面図。
【図２６】（ａ）本発明の別の構造型アンカーの側断面図で同図（ｂ）のＣ−Ｃ断面図。          （ｂ）同図（ａ）のＡ−Ａ断面とＢ−Ｂ断面図。
【図２７】（ａ）本発明の別の構造型アンカーの側断面図で同図（ｂ）のＢ−Ｂ断面図。（ｂ）同図（ａ）のＡ−Ａ背面図。
【図２８】（ａ）本発明の移動型防波堤の側断面図。          （ｂ）同図（ａ）のアンカー止工の態様を説明する上面図。
【図２９】（ａ）図２８のアンカー止工の連結前の斜視図。          （ｂ）同図（ａ）のアンカー止工の連結後の斜視図
【図３０】（ａ）本発明の別の移動型防波堤の側断面図。          （ｂ）同図（ａ）の大津波時の作動状況側断面図。
【図３１】（ａ）本発明の別の移動型防波堤の側断面図で同図（ｂ）のＡ−Ａ側断面図。          （ｂ）同図（ａ）のＢ−Ｂ側面図。
【図３２】（ａ）本発明の離岸防波堤の説明配置平面図。          （ｂ）同図（ａ）の移動型防波堤の操作方法を説明する上面図。
【図３３】本発明のマウンド型防波堤の側断面図。
【図３４】（ａ）マウンドブロック単体の斜視図。          （ｂ）同図（ａ）のブロックを２段組積した場合の組積上面図。
【図３５】（ａ）図３４のブロックを３段組積した場合の側断面図。          （ｂ）同図（ａ）を２段組積した場合の説明詳細断面図。          （ｃ）同図（ｂ）の連結具の別の施工方法の手順前を示す側面図。            （ｄ）同図（ｃ）の施工方法の手順後の側面図。
【図３６】（ａ）別の連結具の断面図。          （ｂ）同図（ａ）の使用状況断面図。
【図３７】（ａ）別の連結具の断面図。          （ｂ）同図（ａ）のプレート上面図。          （ｃ）同図（ａ）の連結状態断面図。
【図３８】別のマウンドブロックの設置状況を示す設置平面図。
【図３９】別の連結手段の側断面図。
【図４０】（ａ）別の連結手段の施工方法の手順前の組積断面図。          （ｂ）同図（ａ）の施工方法の手順後の組積断面図。
【図４１】別の連結手段の断面斜視図。
【図４２】（ａ）図４１の連結手段による連結状態断面図。          （ｂ）同図（ａ）の連結孔の断面斜視図。
【図４３】（ａ）別の水平及び/又は鉛直方向連結状態を示す上面図。          （ｂ）同図（ａ）の連結ボルトの斜視図。
【図４４】（ａ）本発明の６脚マウンドブロックの単体斜視図。          （ｂ）本発明の別の６脚マウンドブロックの単体斜視図。
【図４５】（ａ）図４４（ａ）のブロックを敷設してその空間上に該ブロックを組積した組積上面図。          （ｂ）同図（ａ）のＣ−Ｂ切断面図。
【図４６】（ａ）図４５（ａ）のＡ−Ａ断面斜視図。（図４５の説明図）          （ｂ）図４５（ａ）のＡ−Ｃ断面斜視図。（図４５の説明図）
【発明を実施するための形態】
【００２４】
以下、図面に示す実施例に基づいて本発明の津波防波堤の実施の態様を説明する。
【実施例１】
【００２５】
図１は海岸に設置された本発明の津波防波堤が複数個所ある場合の築造断面図である。本発明は津波の流水圧である第１波を本防波堤より適宜海岸よりに離れた前進防波堤で流水圧を減衰して本防波堤で津波を完全に防ぐことを目的した２重３重からなる重複構造を有する津波防波堤である。
海岸近くに設置された固定型津波防波堤Ｄより海側に適宜の距離離れた位置に浮子型可動津波防波堤である浮子本体Ａ１１の1列目Ａ１１ａ又は必要に応じて２列目Ａ１１ｂ以上設置されている。
常時、浮子Ａ１はアンカー収納箱Ａ１３に収納されているが、津波又は台風時の非常時に自動的に又は人為的な操作により収納蓋Ａ１３ｂが開き海面上に浮上して非常時の高波に抵抗するものである。
浮子本体Ａ１１は球形または円筒形又は三角形等或いはその組み合わせ等適宜の形状を有し、その下端又は適宜の位置に一か所又は二か所以上アンカーＡ１２で連結され、その他端はアンカー収納箱Ａ１３の底板を介して杭等のアンカー止に強固に連結されている。
該アンカー止は重力タイプのアンカー止重力型Ａ１６ｂと杭形式のアンカ−止杭Ａ１６ａがあり、必要に応じて杭先端に引き抜き防止の拡大球体Ａ１６ａ１が設けてある。
該アンカーは前述したように非常時流水圧を浮子本体Ａ１１で受け、アンカーＡ１２を介してアンカ―止Ａ１６に連結される。従って浮子本体Ａ１１、アンカーＡ１２、アンカー止Ａ１６は強固な材料で作られているので該流水圧に耐えるのでその目的を達成できる。
これらの材料は強度、塩分による腐食等を考慮して選定される。例えば鉄、非鉄金属、プラスチック、木材、竹、鉄筋コンクリート、炭素繊維、アラミド、ガラス繊維等を布等にして使用したり、適宜混紡にしたり、先の材料に混ぜて使用することも可能である。
【００２６】
非常時流水圧を受けた浮子本体Ａ１１は海岸線に沿って設け居り、アンカーも先の材料で作られ、繊維状の材料をロープ状に束ねたもの、鎖状のものも含み長さも非常時流水波高に応じて調整可能にできているので、流水圧の低減に十分その役割を果たしている。
もし該流水圧が大きければ２列、３列と浮子本体を浮かせ流水圧に対抗することも可能である。
この浮子による可動防波堤を使用すると流水圧が低減され、後方にある固定防波堤の流水圧による負担が軽減される。
【００２７】
次に、後方の陸側の防波堤は固定型津波防波堤Ｂ、Ｂ１と、この上に載置した可動型津波防波堤Ｃ、Ｃ１と、減勢工Ｆ、Ｆ１を挟んで前方に小型の固定型津波防波堤Ｄ、Ｄ１が設置されている。
この機能を説明すると津波の来襲の感知により可動型防波堤Ａ１の浮子本体Ａ１１、Ａ１１ａ、浮子Ａ１１ｂが浮上して水面ＴＷ０のＨＷＬに位置する。
その後時間を於いて津波の来襲あり、津波第1波水面ＴＷ１は浮子本体Ａ１１ａを越波するが浮子本体の抵抗で減勢され、更に第２波水面ＴＷ２が浮子Ａ１１ｂを越波すると流速は可なり減勢される。
更に減勢された津波第３波水面ＴＷ３は固定型防波堤Ｄ１を越波して減勢工Ｆ、Ｆ１である減勢池に落下して従来あった水堆積Ｆ１２ＬＷＬをかき混ぜるので更に減勢される。減勢池の水位ＴＷ４はその勢いで更に上昇して水位ＴＷ５に達し、水勢に応じて水位ＴＷ４に落下してこれを繰り返しながら渦を巻き減勢されますので固定型津波防波堤Ｂへの波圧負担が軽減されます。
【００２８】
第１波来襲後第２波の来襲まで時間があるので減勢池の水は固定型防波堤Ｄ
の排水越流頂面Ｄ１２より流失して次の第２波津波に備える水面Ｆ１２ＬＷＬ
になるように排水越流頂面Ｄ１２の位置と幅を決めてある。津波水位ＴＷ５が更に高くなると可動防波堤Ｃ１の浮子Ｃ１２は津波水位ＴＷ６に合わせて上昇する。又は機械的に手動又は自動的に可動型防波堤の倒伏装置のジャッキＣ１４が作動して可動型防波堤を起こす。
この様に津波の勢力を２重、３重に減勢させるので、後方の防波堤に津波が到達したときは静水圧に近い圧力になっているので構造物に作用する水圧は非常に小さい物になっている。
【００２９】
次に防波堤施設の態様について説明する。
海岸付近の近くに設置される固定型防波堤Ｂ、Ｂ１は変形逆Ｔ型の構造式擁壁タイプである。
固定型防波堤壁Ｂ１１の頂部に固定型防波堤頂部Ｂ１２が適宜の長さを有して張出している。これは津波の越波防止と上部に設ける可動型防波堤の倒伏装置Ｃ１４のピンＣ１４ＰＮの幅で決まる。
該壁Ｂ１１の下端は該防波堤底板Ｂ１３が前部と後部とに分かれ入るが前部がない時もある。更に底板砕石Ｂ１３ａを設け、必要に応じて該壁の上端と下端に波返しＢ１４、Ｂ１４とコンクリート杭、鋼管杭、各種杭等Ｂ１５を適宜選定して設置する。
該防波堤Ｂ１の背面は該防波堤Ｂ１の安定を考慮して又、都市計画に従い、道路Ｇ１１又は宅地Ｇ１２に整地される。
【００３０】
次に必要に応じて設ける可動型防波堤Ｃ、Ｃ１を説明する。中規模の津波又は百年に一度の津波に耐える防波堤を設けると堤体が高くなり、風通しが悪く、風光明媚な風景も味あえない毎日では当地に住む意味がない。毎日海辺と緑のある広々とした景色を味あい楽しく暮らすためには防波堤は低いか又は無いほうが良い。このことはこれから説明する可動型防波堤を提供することに依って解決する。
【００３１】
前記防波堤頂部Ｂ１２の右端部と可動型防波堤躯体Ｃ１１の適宜の位置に設置されたピンＣ１３が連結され回転自在としている。
該躯体Ｃ１１の前部Ｃ１１ａの下面に津波の浮力によって該躯体Ｃ１１が浮上するに必要な適宜の大きさの浮子本体Ｃ１２が設置されおり、津波の水位の上昇に合わせてピンＣ１３の軸を中心に回転し、該水位が最高位に達したとき直立に近い状態となり、該躯体後部Ｃ１１ｂと該防波堤壁Ｂ１１の頂部と接して応力の安定をなしている。
尚該頂部の接面を傾斜させると該躯体Ｃ１１も傾斜する。更に該倒伏装置Ｃ１４の補強により該躯体後部Ｃ１１ｂを短くでき、これにより該防波堤壁Ｂ１１を低くでき海岸が楽しめる。このとき必要に応じて該防波堤D１及び／又は減勢工Ｅ１を省略することもある。
【００３２】
他の方法として、該防波堤頂部Ｂ１２の上面にジャッキ等の収納室Ｃ１４ａがあり、津波の来襲により自動的に、又は手動的に油又は空気等により該ジャッキＣ１４ｂ等を起動させ前記同様津波に備え、津波が引いた後は自動的に、又は手動的に通常の位置に戻るようになっている。
尚前記浮子本体Ｃ１２と起立倒伏装置Ｃ１４は単独で、又は併用して使用することも可能である。更に必要に応じて、該躯体Ｃ１１の表面に太陽光パネルＣ１５を張ることも可能である。
【００３３】
次に固定防波堤Ｄ、Ｄ１は単独で、又は減勢工Ｆ、Ｆ１と併用して津波に
抵抗できるものである。固定防波堤Ｄ１は従来の防波堤と同じで、築堤の形状も適宜の形状をなしている。
本件の形状は台形で、前面勾配１：Ｎ１と後面勾配１：Ｎ２が同じでも異なっていてもよい。該防波堤法面工Ｄ１３の前面Ｄ１３ａと後面Ｄ１３ｂはコンクリ―トであったり、ブロック等適宜の材料を使用し、該防波堤コアも土又は砕石、コンクリート等適宜の材料を使用する。
該防波堤Ｄ１の下端は従来型の基礎マウンドＤ１４で自然石又はコンクリー
トブロック等適宜の材料と形状で造られている。
又適宜の位置に必要に応じてシートパイル等の止水工Ｂ１６又は杭Ｂ１５を１又は２以上使用することもある。又該防波堤Ｄ１を減勢工Ｆ１と併用で使用するときは海水位がＬＷＬ、ＭＷＬの設計位置に固定型防波堤排水越流頂面Ｄ１２に合わせ津波が引くときに減勢工の海水が流失して次の津波に備える様に設計するとよい。
尚該越流頂面の幅は該堤体の構造と規模と該減勢工の規模等に依って決定する。
【００３４】
次に減勢工Ｆ、Ｆ１は必要に応じて設けるもので、広いほうがその効果はあるが用地の状況により形状等決める。
底板Ｆ１３はコンクリート、石、又はテトラポット等の減勢効果のあるも等適宜選定し設置する。
尚水勢については前記した通りである。
【実施例２】
【００３５】
図２は別の浮子型可動津波防波堤の斜視図と断面図で、図２（ａ）は図２の浮子本体の斜視図で、該浮子型可動防波堤は浮子本体とアンカーとアンカー止から成り、必要に応じてアンカー収納箱等を設ける。
浮子本体Ａ２１は円筒形でその端部に浮子本体を膨張、収縮させる為の充填材の空気等の気体、又は液体等を入れる浮子栓Ａ２１１が設けてある。
他方該浮子本体Ａ２１の下端の長手方向に適宜の材料から成るアンカー遮水帯Ａ２２１が深さ方向に適宜の深長ＡＨだけ伸び、上方端は浮子本体とアンカー補強帯Ａ２２２に強固に取り付けてある。
該遮水帯は津波の流水が浮子本体の真下を通過しないようにして津波の力をできる限り浮子本体に負担させるもので、更に、該遮水帯及び/又はアンカーの数と位置により浮子本体の安定をなす働きをしており、地形とその目的にもよるが深長ＡＨは海底近くに達することもある。
【００３６】
更に必要に応じて浮子本体にアンカー補強帯Ａ２２２が１か所又は２か所以上設けてある。これはアンカーＡ２２ａとＡ２２ｂを適宜の箇所に取り付ける安くするためと複数個アンカーを取り付けことに依り浮子本体の支持点破壊防止と津波による浮子本体の安定と抵抗増とアンカー負担力の分散等多くの目的があるが該遮水帯と同様に必要に応じて設けるものである。アンカーの端部はアンカー取付孔Ａ２２ａ１、Ａ２２ｂ１に強固に結合されている。
【００３７】
図２（ｂ）はアンカー収納箱とアンカー止の設置側断面図である。
実施態様順に説明すると海底に浮子の充填材を送る送通管と電気設備管等をまとめた操作設備管Ａ２４ｃを基礎Ａ２５で支持しており、適宜の箇所で収納箱内のアンカー操作機器Ａ２４ｄに連結している。
浮子本体の浮上指令が出ると該設備管の送通管に充填材が流れ該機器Ａ２４ｄの弁が開く前に、浮子本体が収納箱Ａ２３のロックＡ２３ｂ１が外れ、送通管を兼ねたアンカーＡ２２ａ又はＡ２２ｂに充填材が送通されると蓋Ａ２３ｂはピンＡ２３ｂＰＮを介して片開きして浮子本体に充填材が充填されながら浮上して浮上水位ＴＷ０の位置で静止する。
【００３８】
尚浮子の膨張は従来使用されている非常用ゴムボートの膨張材等を利用することも可能である。
浮子本体が浮上して津波を受けるとアンカーの最下端はアンカー止連結材Ａ２６ｄと連結され他端はアンカー止杭Ａ２６ａの充填材Ａ２６ａ１に定着され引き抜けない。
尚アンカー止杭の先端に拡大円形状の球根Ａ２６ａ２を設けると引き抜き抵抗が増す。
該収納箱とアンカー止と直接又は脱着ピンＡ２３ａＰＮを介して強固に取り付いている。
【００３９】
図２（ｃ）は別の浮子収納箱の側断面図で、図２（ｂ）はアンカーと浮子本体が収納箱Ａ２３に渦巻状に積層しながら収納されているのに対し、図２（ｃ）の収納箱Ａ３３に浮子とアンカーは同時に又は別々にドラムに巻かれたり、浮子本体だけ束ねて収納されたり等現地の状況により適宜の態様をとることも可能である。
例えば図２（ｃ）においてドラムＡ３４ａ１に浮子本体Ａ３４ｂ１
が巻かれ、ドラムＡ３４ａ２にアンカーＡ３４ｂ２が巻かれている。
尚アンカーをドラム形式にすると水深の応じて長さ調整が機械的に可能で、津波の規模に応じて浮子本体の抵抗を調節できる。
尚操作方法等は同図（ｂ）と同じで符号も統一されているので参照されたい。
更に収納箱の脱着はピンＡ３３ａＰＮで行われる。
【実施例３】
【００４０】
図３は別の浮子型可動防波堤の説明用側断面図で図３（ａ）は同図防波堤の海底設置状態断面図を示している。
前記図１と図２の可動防波堤は浮子本体が常時には折りたたまれて収納箱に収納されていたが、本実施例では折りたたみで無く、ドラム缶のように固定形状の浮子本体をしている。
材質は前記同様の材料の鉄、非鉄金属、樹脂、各種繊維等から成っており、現地の状況により選定される。
この様に浮子本体を固定形式にすると津波の時に浮上対応が早く、ふくらみが悪く浮上しない等に対する事故が少なく、浮子本体を鉄板又はプラスチック等の折りたたみ出来ない材料で作るので瓦礫等の浮遊物の衝突による破損が少ない。
前記収納箱Ａ４３にはドラムＡ４４ａに巻かれたアンカーＡ４２とこれを操作するアンカー操作機器Ａ４４ｄと操作設備管Ａ４４ｃが蓋Ａ４３ｂにより収納され、浮子本体Ａ４１、Ａ４１ａは設置台Ａ４５ａに収まり、他の浮子A４１ｂ、Ａ４１ｃは海底地盤Ｇ２１にそのまま置いてあり、浮子本体の連結用
の連結輪Ａ４１２と基礎Ａ４５ｂから立設した連結フックＡ４５ｂ１と連結している。尚浮子本体は設置台にすべてに設置されてもよい。
【００４１】
図３（ｂ）は同図（ａ）の津波時の浮子型可動防波堤の可動状況側断面図で、前記同様に、津波の指令を受けると、操作により連結輪Ａ４１２は連結フックＡ４５ｂ１と離れ、該操作機器Ａ４４ｄが働き中空状のアンカ−Ａ４２内に空気がおくられる。
浮子本体Ａ４１内の充填材の海水又は浮上しない最少の空気等は弁Ａ４１１を介して海中に放出され、空気等の気体が追加されて浮子本体内は空気等の気体で満たされるので浮子本体は海面に浮上する。
アンカーには材質により必要に応じて可撓性のある可とう管Ａ４２１を適宜の箇所に設けることもある。
該浮子本体は一個でもよく、前記図２の浮子本体Ａ２を図３の固定形式の浮子本体にすることも可能で、必要により遮水帯Ａ４２１を設けてもよい。
尚収納するときは弁Ａ４１１を介してアンカー操作機器よりアンカー内に海水等を注入して浮子を沈めながら、及び/又は沈めた後アンカーをドラムに巻き設置台に浮子本体を設置後前記連結フックと連結輪は手動又は機械操作によりロックされる。
【実施例４】
【００４２】
図４は別の浮子本体の斜視図で図４（ａ）は別の浮子本体の斜視図で浮子本体Ａ５、Ａ５１ａは角状の６脚体をなしている。海底、海浜、水深等の状況により該６脚体の形状が津波の減衰に効果を発揮する場合もある。
この様に本発明の浮子本体は海底の形状、海浜の形状、水深等により材質を変えたり、浮子本体の形状を変えたり又は浮子の数を１又は２以上組み合わせしたりすることも可能である。更にアンカーＡ５２は１又は２か所以上浮子本体の適宜の位置に設置さている。
その１例を示すと該浮子本体Ａ５１ａ、又はＡ５１ｂの上に前記した浮子本体Ａ１１、Ａ２１何れか又は双方を１又は２以上載置することも可能である。
又折り畳んで収納箱Ａ２２、Ａ３３に収納したり、或いは図３の様に適宜の材料でつられた折りたたみ出来ない固形状の浮子本体を設置台に設置する方式を採用することも可能である。
【００４３】
図４（ｂ）は上記図４（ａ）の浮子本体の変形例で、角状の５脚をなした浮子本体Ａ５、Ａ５１ｂの下端に前記アンカー遮水帯Ａ５２１が付設され適宜の材質と種別のアンカーが１又は２以上設置されている。
【実施例５】
【００４４】
図５は別の浮子型可動防波堤の説明図で、図５（ａ）は浮子型可動防波堤が津波時に作動した状態の側断面図で、前記と異なる点はアンカーＡ６２が可撓性のあるロープ又は鎖で無くＨ型、箱型等の構造断面を有する前記材料より選定された材料を使用している。
アンカーＡ６２ａ、Ａ６２ｂの上端に回転自在可能な材料と形状のピンＡ６２ＰＮ、Ａ６２ＰＮが適宜の材料と形状からなるアンカー遮水帯Ａ６２１に取り付けられている。
該アンカーの上端部付近にアンカーの浮上角度を保持する為の可動式固定装う置６２２が設置されている。
【００４５】
該固定装置は左右のアンカー同志の浮上角度をピン又はギアーとラチェット等の組み合わせで可動保持可能とした装置で波圧に耐え、又伸縮自在の機構になっているのでアンカーの上部付近の収納可能である。
尚ロープ状のアンカーＡ６２ｃの上端はアンカー遮水帯又はアンカー取付板Ａ６２１に強固に取り付いている。
【００４６】
該アンカー本体の浮上時はアンカー下端にロ−ラＡ６２３が設けてあり、該ローラーはレ‐ル基礎Ａ６２４ｂに取り付いたレールＡ６２４ａに走行自在で更に引き抜き不可能に取り付いて所定の位置でロック可能となっているので安定したアンカーの役割をなしている。
従って浮子本体の浮上に伴い横になったアンカーはレ−ルを滑りながら立ち上がる。
【００４７】
図５（ｂ）浮子型可動防波堤が常時状態の断面図で可動時状態を説明しながらその機能を説明する。前記と重復するところは省略する。
前記説明の通り、収納箱Ａ６３の中のアンカーはロープタイプの為ドラムＡ６４ａに巻かれおり、中央の指令によりロックＡ６３ｂＲが外れ、操作設備Ａ６４により充填材が浮子本体に送られ、蓋Ａ６３ｂはピンＡ６３ｂＰＮの作用で片開きして浮子本体は浮上する。
浮子本体が固形タイプの場合はアンカーは省酪されることもある。この時の浮上指令は適宜の方法で行われる。
【００４８】
アンカーは折りたたみのできない構造材の為アンカー上端一部収納箱に収まり他の部分は海中に露出しているが腐食代を考慮してあれば問題ない。
尚収納箱とアンカーのはみ出し部分は支障ないように適宜処理されている。又アンカーＡ６２ｂの適宜な位置に必要に応じてピンＡ６２ｂPＮを設けてあるがアンカーが立上った時に該ピンがラチェット等の作用で回転を固定して応力を伝達し、アンカーが作動するときは操作によりラチェット等が外れるようになってアンカーとしての役割をなす様になっている。
他方別の工法としてアンカーＡ６２ａはストレートの材料で上端にＡ６２ＰＮと下端に先述のロ―ラＡ６２３が付設されている。
【実施例６】
【００４９】
図６は本発明の別の津波防波堤の側断面図で図１を小型化したものである。
該防波堤の機能と態様等は前記と同じである。
前記同様に浮子型可動防波堤Ａ７、構造式固定防波堤Ｂ７、Ｂ７１とその上部に構造可動防波堤Ｃ７ａが載置されている。機能等と符号は前記と同じであるので説明を省略し、変更のところを主体に説明する。
図１の固定防波堤Ｂ１ａに類似した本発明の固定型防波堤Ｂ７、Ｂ７１が設置され減勢工が省略されている。図１より小型化して減勢工が省略されている関係から海岸の陸側及び／又は海低まで強固な海底マウンドＥ３、の法面工Ｅ３１と法面基礎Ｅ３２を設けている。更に防波堤壁Ｂ７１の前面に波返しＢ７４を設けている。  
尚図では杭Ｂ７５を省略しているが必要に応じて、設けることも可能である。
【００５０】
更に必要に応じて前記図１のように可動型防波堤Ｃ７ａを設けることも可能である。該防波堤頂部Ｂ７２付近にジャッキ収納室Ｃ７４ａにモータ及び／又はギァ等が内臓されて中央指令によりシャフトＣ７４ｂを動かすとピンＣ７３ＰＮの作用で該躯体Ｃ７１起立したり、倒伏したりするが、前記図１のジャッキ装置を利用することも可能である。
道路Ｇ１１、宅地Ｇ１２の地盤を上げたいときは該躯体Ｃ７１の躯体後部Ｃ７１ｂを短かくすると良い。
必要に応じて浮子本体Ｃ７２を設けたり、必要に応じて浮力を増すために浮力本体に内蔵された第２の浮力本体Ｃ７２ａを膨らませることも可能である。                        太陽光パネルＣ７５を設けたり、又は道路等に使用することも可能である。
尚浮子型可動防波堤Ａ７の使用に関しては前記説明の通りである。
【実施例７】
【００５１】
図７は別の可動型と固定型防波堤の側断面図である。該防波堤は前記図６の防波堤と類似しており、前記同様に浮子型可動防波堤Ａ８、重力式固定防波堤Ｂ８ｂと可動型防波堤Ｃ８から成り、異なる点は固定型防波堤が重力型で現在使用されている防波堤と同じで該防波堤Ｂ８に本発明の浮子型可動防波堤Ａ８ａを組み入れた形式も前記同様で、このことは該防波堤Ａ８に依って既存の、又は新規の防波堤に作用する波圧が減衰され該防波堤の安全と経済性に寄与すことになりこの２重防波堤の効果が発揮されている。
前提の防波堤が浮上型である為に日常は海面になにもないので美観的に違和感がない。
【００５２】
本件固定型防波堤Ｂ８ｂは該壁Ｂ８１、頂部Ｂ８２、底板Ｂ８３が変形Ｃ型で主にコンクリートで造られ、必要に応じて鉄筋を入れる。その下端には底板砕石Ｂ８３ａを設けて強固にしている。可動型防波堤を設けない場合は海底マウンドＥ３は該底板Ｂ８３に接着する。
必要により可動型防波堤Ｃ８を設ける場合は該躯体Ｃ８１を起立倒伏させるために躯体ピンＣ８３を頂部Ｂ８２に設け、基礎Ｃ８６に軸Ｃ８４ｂが内臓された起立倒伏装置Ｃ８４が柱の役割なして立設している。
中央指令により該装置Ｃ８４の機器の作用で鞘管状に収まった軸Ｃ８４ｂは起立して該躯体Ｃ８１の位置に設けられたピンＣ８４ＰＮの作用で躯体Ｃ８１は所定の位置まで起立する。倒伏も同じように行われる。必要により基礎柱Ｃ８６ａで補強する。
更に常時は浮子本体Ｃ８２の中に津波に抵抗可能な鞘状の浮子本体C８２ａが内臓され、機械的に、又は前記同様津波の水圧で突出する可動堰が内臓されており、津波時に浮子本体Ｃ８２ａは作動してその役割をなす。
尚躯体上面設備Ｃ８５は今回道路に使用される。
【実施例８】
【００５３】
本発明の津波防波堤は陸側の海岸付近に設置を限定するものでなく、沖合の設置可能な場所に設置できる
該津波防波堤に本人下ノ原武茂の出願人である特許出願番号2008−026568
「発明の名称  発電装置」の該装置Ｈを付設することも可能である。
該発電装置の中の波力発電装置を使用するとこの装置の施設が防波堤の役割をなすので一石二鳥の効果がある。
この装置を組み入れた津波防波堤の説明を図８に示す。
【００５４】
本発明は波力発電装置を組み入れた複数の津波防波堤の築堤断面図である。
本発明の施設は沖合に設置した図になっているが海岸線付近の発電可能な位置に設置することも可能である。
図８は本発明の固定型津波防波堤Ｂ９は構造型で該壁Ｂ９１は形鋼の柱Ｂ９１ａにプレキャストの壁材Ｂ９１ｃと必要に応じて設けるバットレスの該壁控柱Ｂ９１ｂを設け、その下端は底板Ｂ９３の独立底板Ｂ９３ａとＢ９３ｂを設け間隔をおいて梁Ｂ９７を設けているがスラブＢ９７でつないでいでもよい。
【００５５】
必要に応じて杭Ｂ９５と遮水壁としてシ―トパイルＢ９６を１ないし２以上設けている。
該壁Ｂ９１の頂部Ｂ９２にはＬ型のコンクリートが桁行方向に連続して設置されている。又必要に応じて、部分的に、日常においては風通が良いように壁に壁シャッターＢ９１ｄを設け又はこの近くに風力発電の風車Ｇ３ｂ１を設置することも可能で、非常時にはシャッターボックスＢ９１ｄ１により開閉する。
尚海岸に設置の時は該壁控柱Ｂ９１ｂは土に埋まり地表面Ｇ１１等となり、沖合に該施設を設けたときは海面ＧＭＷＬとなる。
【００５６】
必要に応じて前記同様に該固定防波堤Ｂ９の該頂板Ｂ９２に前記同様に可動型津波防波堤（構造形式）Ｃ９を設けることも可能で、前記と同じく各設備の該躯体ピンＣ９３、該躯体Ｃ９１、浮子本体Ｃ９２、起立倒伏装置Ｃ９４等を前記同様に設けることも可能である。
【００５７】
前記図１と同様に固定型津波防波堤Ｂ９に隣接する減勢工Ｆ９を挟んで反対側に固定型防波堤Ｄ９を設けると固定型防波堤Ｂ９に作用する流水圧は減圧される。
即ち該防波堤Ｄ９の頂部Ｄ９１を越流する流水面ＴＷ１と流水圧ＴＷ１は落下して減勢工の底面に衝突して減勢された流水面ＴＷ２と流水圧ＴＷ２はまだ勢いがあれば上昇して流水面と流水圧ＴＷ３に達し、更に勢いあれば減勢工内で渦を巻きながら回転して次第に減勢される。
減勢地の水位が減勢水位Ｆ９２ＬＷＬに達するまで減勢されその後、該防波堤の減勢水位越流頂面Ｄ９２より場外へ流失して次の津波に備えるまでの減勢水位Ｆ９２ＬＷＬまで低下する。
減勢地の大きさと形状を決めたり、減勢効果を増すために該池の壁又は底に凹凸をつけたり、テトラポット等のブロック等を設置することも可能である。
【００５８】
上記減勢工の規模が小さいと図１の重力型の該防波堤でよいが、規模が大きくなると鉄筋コンクリートの構造型の防波堤Ｂが好まれる。
壁Ｂ９１、頂部Ｂ９２は突状であるが減勢効果のある適宜の形状を有してもよい。底板Ｂ９３は板状で下端に捨コンを含む底板砕石Ｂ９３ａと必要により設ける杭Ｂ９５とシートパイルＢ５６が１又は２以上打ち込まれている。
減勢池の底Ｆ９３は石、ブロック等でもよいが、必要により、底板Ｄ９５とＢ９３の延長の鉄筋コンクリートの梁状のストラット又はスラブでもよい。
尚必要に応じて適宜の場所に風力発電装置Ｇ３ａ、Ｇ３ｂを設置することも可能である。
【００５９】
該防波堤Ｄ９の外洋の海側前面に道路Ｇ１１又は空地を挟んで前面に先の波力発電装置Ｈが設置されている。
該発電装置Ｈは躯体Ｈ１と動力装置Ｈ２と梃子梁装置Ｈ３と支点装置Ｈ４と延伸縮装置Ｈ５と発電装置Ｈ６から成り、必要に応じて設ける固定防波堤Ｈ７及び/又は可動防波堤Ａ８等から成る。図８では発電装置の側断面図を示し、図９でその平面図を示し符号を統一しているので対象しながら説明する。
【００６０】
平面的に開口が広く、進むに従い縮少する導流壁Ｈ１２と適宜の平面形状をなし道流受圧板Ｈ２１の形状と対応した動流受圧壁Ｈ１１と下端には縦断面的に該壁Ｈ１１に向かって上方に縮少した導流底板Ｈ１４と動流受圧壁に対応した受圧底板Ｈ１３を設け、必要により流水圧による揚水圧を高める緩和曲線Ｈ１３ａを適宜設けている。必要に応じて捨コンを含む基礎砕石Ｈ１６、杭Ｈ１７、堤内マウンドＨ１８ａと堤外マウンドＨ１８ｂを設けている。
【００６１】
次に導流受圧壁Ｈ１１に対応した導流受圧板Ｈ２１の中央付近に適宜の形状の導流受圧板誘導柱Ｈ２２の下端は該底板に強固に固定されるか又は地盤より該底板を貫通して立設している。
更に該導流受圧板Ｈ２１より受圧板連結柱Ｈ２３が立設して、その上部で連結梁Ｈ２４を設け梃子梁長辺Ｈ３１ａの端部と連結している。
該導流受圧板Ｈ２１に作用する波の平常発電水位の上限波ＨＭＷＬ１と下限波ＨＭＷＬ２の上下運動により該導流受圧板は該誘導柱と連結柱更に連結梁を上下運動、即ちピストン運動を行う。これに伴い梃梁の長辺端部も上下運動する。
梃子梁長辺Ｈ３１ａと梃子梁短辺Ｈ３１ｂとを梃子梁支点Ｈ３２で適宜の長さの長辺と短辺に分けて、梃子の原理を利用して揚圧力を増幅している。
【００６２】
支点装置Ｈ４は梃子梁Ｈ３１の短辺と長辺の分岐点である梃子梁支点Ｈ３２の支承Ｈ４１、支柱Ｈ４２、底板Ｈ４３と杭Ｈ４５及び延伸縮装置Ｈ５と発電設備架台Ｈ４６より構成されている。
延伸縮装置Ｈ５は必要に応じて設けるもので、梃子梁の短辺Ｈ３１ｂの端部と延伸縮装置とアーム又は該短辺Ｈ３１ｂとアームＨ６１を連結して、ァームの他端は回転盤Ｈ６２と連結して、該回転版の中心軸はトルクを得て、増速ギアーＨ６ａを動かして発電機Ｈ６ｂを動かし発電している。この様な波力発電装置が１又は２以上並列に並べられている。
【００６３】
図９は図８の平面図である。
前記該道流壁Ｈ１２と道流壁Ｈ１２間頂部に適宜の規模の固定防波堤Ｈ７が必要に応じて設けてあり、更に前記浮子型可動防波堤Ｈ８が必要に応じて設置されている。
尚津波時は適宜の操作により該可動防波堤は可動するように成っている。
又該固定防波堤Ｈ７は鉄筋コンクリートの壁及び／又は柱からなり、又は
本件の柱Ｂ９１、壁９１ｃを組み合わせた柱壁構造形式にて築造している。
【実施例９】
【００６４】
図１０は図８、図９の変形例で機能等は同じである。沖合に設置することも可能であるが本例では海岸に設置した例を示している。
図８と異なる点は固定型防波堤Ｂ９‘の壁Ｂ９１’、Ｂ９１ｃ‘と頂板Ｂ９２’が一体で、更にこれと図８の底板Ｂ９３ａ、Ｂ９３ｂ、Ｄ９５、Ｆ９３を鉄筋コンクリートの連続構造Ｂ９３‘として一体にしたことである。
この様な連続ラーメン構造にすると波圧、不等沈下による外力を構造全体で負担するので安全性が高くなる。
従って本発明の固定防波堤は多様な構造形式を採用できる。
更に必要に応じて前記同様に可動型防波堤Ｃ９を載置している。
前記同様に導流壁Ｈ１２、Ｈ１２の上部の固定防波堤を鞘型固定防波堤
Ａ７‘にして強固に前記導流壁に固着し、必要に応じて該筒に内蔵された可動型防波堤Ａ８’を可動させた点である。
又必要に応じて風力発電装置Ｇ３を設置することも可能である。
【００６５】
図１１は波力発電型津波防波堤に付設した浮子型防波堤と固定型防波堤の説明図で、図１１（ａ）はその断面図で、図１１（ｂ）はその一部断面平面図で符号等統一してあるので両図対象しながら説明する。
前記図、図８、図９と図１０の追加説明で、発電用躯体Ｈ１、動力装置Ｈ２、梃子梁装置Ｈ３、支点装置Ｈ４、延伸縮装置Ｈ５、発電装置Ｈ６の機能と符号は前記図と同様で、唯異なる点は導流受圧板誘導柱を取り除き、導流受圧板Ｈ２１の安定を増すために導流支圧壁増壁Ｈ１１ａを追加した点と梃子梁安定柱Ｈ３３を設けたことである。
本件図は津波時の該防波堤の可動状態図で、導流受圧板Ｈ２１と梃子梁Ｈ３１の上下運動と振動とを防いだり、停止したりする為に該導流受圧板に内蔵されたロック装置Ｈ２１ａを突出せたり、膨らませて該壁面との摩擦抵抗と梃子梁と梃子梁安定柱Ｈ３３と連結ロックする等して導流受圧板を停止させる。。
【００６６】
次に、該躯体Ｈ１の天端に設けたシャッターボックスＨ９ｂからのシャッターＨ９が下り、必要により設けた浮子本体Ｈ９ｃが膨らみ、津波の圧力を緩和させる。又シャッターが津波の圧力に抗しきれないときは構造材Ｈ９ａを１又は２以上を下す。又シャッタの替わりに従来の水門を設けてもよい。
固定防波堤Ｈ７は壁Ｈ７ａ、梁Ｈ７ｂ、バットレスＨ７ｃに一体に作られて
導流壁Ｈ１２に固定されているので安全である。
次に浮子本体Ｈ８ａ、Ｈ８ｂは浮上水位ＴＷ０に達したら蓋Ｈ７ｄ、Ｈ７ｄＰＮの作用で前記中央操作等により浮上しアンカーＨ８２とピンＨ８２ＰＮ、Ｈ８２ＰＮの作用で津波に抵抗する。
【実施例１０】
【００６７】
図１２は本発明の鞘型津波防波堤又は鞘型防波堤の側断面図で、図１２（ａ）は常時の鞘型防波堤の側断面図で、前記固定型防波堤と可動防波堤を兼ねた機能を有している。
本例では可動防波堤のみ役割をなしている。本例の固定型防波堤Ｄ２は築堤Ｇ１１、Ｇ１２、適宜の法面勾配Ｎ１をなす防波堤法面工Ｄ２３ａと吸出防止材Ｄ２７と法面工基礎Ｄ１３ｃ海底Ｇ２１等から成る従来型防波堤であるが、前記図１、図６、図７等の防波堤でもよい。
該固定防波堤の堤体に可動防波堤Ｉ１が埋設されている。該可動防波堤は鞘型防波堤Ｉ１で鞘躯体Ｉ１１の中空部に中空状又は中実状の中子躯体Ｉ１２が埋設されている。
必要に応じて中子躯体蓋Ｉ１２ａに管理用の人孔Ｉ１２ｂが設けてあり、さらに該蓋を花壇に使用することも可能である。
該中子躯体の近くの位置に適宜の形状の転倒防止装置の控柱Ｉ１４ａと基礎Ｉ１４ｂが津波流圧に抵抗できる構造をなして適宜の間隔で立設している。
【００６８】
図１２（ｂ）は津波時の鞘型防波堤断面図を示す。該鞘躯体Ｉ１１の下方向に機器操作室Ｉ１３があり、中子躯体Ｉ１２を持ち上げるに必要な動力装置に見合った機械装置が設置されている。
本件の動力装置はオイルジャッキの為オイル配管とし適宜の箇所にモ―ターとコンプレサー等の動力装置Ｉ１３ａとオイルジャッキ等の伸縮装置Ｉ１３ｂの作用で該中子躯体は所定に位置まで持ち上げられる。
該中子躯体が高くなると鞘躯体と鞘中子躯体とのラップ長さＩ１１０の部分が大きな負担となるので該中子躯体を高くできない欠点があった。この解決として転倒防止装置Ｉ１４を設けると強力な支持と安定があり転倒が防止できる。
該防止装置は両側であってもよい。該防止装置の先端部Ｉ１４ｃが浮上した該中子躯体の頂部付近に接したり、又は当接した後ロック出来る構造になっている。
【００６９】
本発明は地上に防波堤が露出しないので景観的に優れている。しかし現地の状況によって鞘躯体を露出させることは可能である。
更に転倒防止装置をモニュメント風にしたり、又は大木を植えて、必要なら大木にモニューメント化した補強の転倒防止装置を附設すると海岸線が美しく見え観光客を呼び込める。
尚本件鞘型防波堤の設置防波堤である固定型防波堤Ｄ２は堤体を丈夫にすれば小規模、中規模の津波防波堤にでき、該鞘躯体と併せて津波防波堤になるので本発明の２重防波堤としての役割をなす。
【実施例１１】
【００７０】
図１３は別の鞘固定型防波堤の説明図で、図１３（ａ）は津波時の鞘型防波堤の作動状況側断面図である。
前記図と機能的には大差はないが、異なる点は該防波堤Ｉ２が地上に露出して津波時ＴＷ０ａに耐える鞘躯体Ｉ２１の防波堤となっている。該躯体は地盤Ｇ１１、Ｇ１２又は他のコンクリート堤防等に強固にアンカーＩ１２ａ１にて固定されている。
更に必要に応じて中子躯体蓋Ｉ２２ａに天端施設Ｉ２２ｂ等を設けている。
【００７１】
図１３（ｂ）は大規模又は高津波ＴＷ０ｂの時の鞘型津波防波堤の作動状況側断面図で、高津波の情報に従い中央操作室の指令によりトラムのピンが外れ、バネＩ２３ｂは解放され延伸して所定の位置まで伸びる。
必要に応じてバネの外側に棒状又は板状のバネ中空管Ｉ２３ｃが中子躯体の底板Ｉ２２ｂを貫通して上下動自在に設けてあるの該中子躯体の荷重に対してバネが変形することがない。
中子躯体を下降させるときはバネの中にバネロープＩ２３ｄがバネ天端板Ｉ２３ｅに強固に固定されおり、更に他端はドラムＩ２３ａに連結しておりこのドラムを巻くことに依ってバネロープが巻かれるのでバネは収縮して最後にロックされる。
本発明の鞘型防波堤は２段階の津波に対応でき、固定型と可動型の両方を兼ねているので常時堤防高さを低く取れるので美観に優れており、さらに機械的に伸縮できるので確実である。
尚必要により前記転倒防止装置及び／又は転倒防止アンカーＩ１４ｃとアンカー止Ｉ１４ｄを１又は２以上設けてもよい。この技術は鞘型防波堤のすべてに採用可能である。
【実施例１２】
【００７２】
図１４は別の鞘防波堤の説明図で、図１４（ａ）は津波時の鞘固定防波堤の作動状況側断面図である。
前記図１３と技術的にほとんど同じであるが異なる点は動力装置Ｉ３３ａがジャッキであるためこれに対応したオイル又は空気及び電気配線等適宜の設備が設置されている。本件伸縮装置Ｉ３３ｂは蛇腹機構で対応している。
尚本例の動力装置の１例をジャッキとしたが本発明はこれに限定するものでなく図２９のアンカー止工ＡＰ７６ａ１の係止突起ＡＰ７２ｅ２をロープＡＰ７６ｅ２の回転で出し入れすればよい。これらの装置をこの場所に複数か所設置して中央１か所で操作することも可能である。
更に図１２の転倒防止装置と別の転倒防止装置控柱Ｉ３４ａを採用することも可能で、本例での該装置の頂部端Ｉ３４ｃを中子躯体Ｉ３２の頂部付近に固着して中子躯体Ｉ３２の上昇と共に該装置躯体Ｉ３４ａも上昇する。
この上昇を容易にする為に転倒装置控柱Ｉ３４ａの鞘躯体Ｉ４３ｂを設けて、この中空部に収納する。
【００７３】
図１４（ｂ）は同図（ａ）の大規模津波時の作動状況側断面図で、高津波時ＴＷ０ｂの情報えると操作指令により動力装置が作動してジャッキ中軸Ｉ３３ａ１が延伸すると蛇腹装置Ｉ３３ｂもその数倍に延伸して所定の位置で停止する。
該蛇腹装置の天端と中子躯体底板Ｉ３２ｂは強固にとり付けられており、さらに前記同様に鞘躯体と中子躯体の摩擦を少なくするためにロ−ラーＩ３２ｃを必要に応じて設けたり、更に中子躯体ラップ長さＩ３１０により津波荷重に抵抗している。この技術は本発明のすべてに採用可能である
又前記同様に鞘躯体Ｉ３４ｂと該転倒防止装置控柱Ｉ３４ａとの間に必要に応じてロ−ラーＩ３４ｅを設けると容易に上昇する。
更に該装置控柱Ｉ３４ａが上昇した後のロックはその１例として前記係止突起ＡＰ７２ｅ２を使用する。収納の時のロックも同様に行われる。
【実施例１３】
【００７４】
図１５は別の鞘防波堤の説明図で、図１５（ａ）は津波時の鞘固定防波堤の側断面図である。機能等は前記鞘防波堤と同じであるが形態的に異なるのでその異なる点を記述する。鞘躯体Ｉ４１の外側に前記中子躯体Ｉ４２１、Ｉ４２２が２体嵌着しているが、１体又は３体以上でもよい。
中規模以下の津波時は中子躯体は鞘躯体に収納され基礎Ｉ４１ｂに載置してアンカーＩ４１ｂ１で引き抜き不可能に固定され、中子躯体は基礎ウィングＩ４１ｂ１に載置している。
【００７５】
図１５（ｂ）は同図（ａ）の大津波時の鞘可動防波堤の可動状況側断面図。
大津波の情報を得ると鞘躯体内の動力装置Ｉ４３ａか作動すると伸縮装置Ｉ４３ｂの浮子本体が機能して膨張して中子躯体Ｉ４２１、Ｉ４２２は上昇して所定の位置で停止する。
該鞘躯体と中子躯体の連結は鞘躯体の突起Ｉ４１０ａと中子躯体突起Ｉ４２１０ａの噛み合わせによる係止長Ｉ４１０でなされている。更に中子躯体の突起同志Ｉ４２１０ｂとＩ４２２０ａが係止長Ｉ４２０を形成している。
鞘防波堤は地上Ｇ１１でも海底Ｇ２１でもよい
尚地上に該装置を設置する場合は地盤の崩れ防止と鞘の役割を兼ねた土留鞘型躯体Ｉ４１ａ１を設ける。
【実施例１４】
【００７６】
図１６は別の防波堤の説明図で、図１６（ａ）は常時又は津波時の固定防波堤の設置状況図で、前記図１４と機能的と形態的に同じである。唯異なる点は動力装置Ｉ５３ｂを浮子本体にした点である。本件鞘型防波堤の動力装置は係止部Ｉ５１０を漏気しないようにすれば浮子本体を省略できる。
【００７７】
図１６（ｂ）は津波時の可動防波堤の可動状況側断面図である。図１６（ｃ）は図１６（ｂ）のＡ―Ａ断面図である。本防波堤が長くなると熱膨張、構造的機能により適切な区間Ｉ５５を設定する必要がある。隣接鞘躯体との先は伸縮継手Ｉ５５ａができ、伸縮材料を設けたり、これと同等の材料Ｉ５５ｂを隙間に詰めたり、さらに浮子本体Ｉ５５ｃを設けることも可能である。
更に鞘躯体の強度と剛性を増すために鞘躯体区間に間仕切壁Ｉ５１ｅを１又は２以上設けることも可能で、その隙間Ｉ５５ｄが発生するが何もしないでそのままでもよいが気にかかるときは浮子本体をもうけることも可能である。
中子躯体は中子躯体蓋Ｉ５２ａが区間に連続しており、更に係止長Ｉ５１０があるのでその強度と剛性は保持されている。
【実施例１５】
【００７８】
図１７は別の津波防波堤の説明図で、図１７（ａ）は平常時の可動防波堤の側断面図で前記と同様に中子躯体に対応した外枠の鞘型防波堤Ｉ６１は本例では地中に埋設されているが、地上に露出したり、海岸に設けたり、更に海中に設置可能なことは前記同様である。
図に沿って説明すると鞘躯体Ｉ６１の鞘躯体主柱Ｉ６１ａ中に中子躯体主柱Ｉ６２ａのＨ型の適宜の材料より選定されている。しかし該形状はＨ型に限定するものでなく箱型等適宜の形状を選定できる。
該Ｈ型中子躯体の腹部に直動のラックＩ６２１ａとリブＩ６２１ａ１を挟んで止水版Ｉ６２２ａがそれぞれ適宜の長さ取り付けられている。
【００７９】
該ラックには機器装置の中のギアーの動力装置Ｉ６３１ｂが歯合され、該ギアーは動力装置Ｉ６３１ａのモ―ターに連結している。
他方必要に応じて中子躯体を強固な構造物にしたい場合は控柱を設けるとよい。このために本体の鞘躯体より適宜離して傾斜をつけた鞘躯体控柱Ｉ６１ｂを設けその中にＨ型の中子躯体控柱Ｉ６２ｂを設ける。
必要に応じてその腹部に直動のラックＩ６２１ｂを適宜の長さ設け、該ラックにはギアーが噛み合いモーター等の適宜の動力で稼働させる。
更にその中子躯体の天端車輪等と本体の鞘躯体Ｉ６１の天端より張り出した張出梁Ｉ６２３ａの腹部とフランジに車輪又はギアーの歯がＨ型のラックに噛合している。
【００８０】
次に該可動防波堤の可動態様を説明する。図１７（ｂ）と図１８と併用して説明する。図１７（ｂ）は図１７（ａ）の津波時の可動状態の側断面図で図１８（ａ）のＣ−Ｃ側断面図を示し、図１８（ａ）は図１７（ｂ）のＢ−Ｂ上面図で、図１８（ｂ）は図１８（ａ）のＡ−Ａ側面図である。符号等は統一されている。
津波の情報を受けると、モ‐ターＩ６３ａが可動するとギアーＩ６３１ｂが回転してラックＩ６２１ａを動かすと中子躯体主柱Ｉ６２ａは上昇して所定の位置で止まりロックされる。これと同時に止水板Ｉ６２２ａは中子躯体主柱と強固に連結され、上昇自在に取り付いているので該中子躯体と同時に上昇する。
尚該止水板にピンＩ６２２ａＰＮ、Ｉ６２２ｂＰＮを設けると常時に折り畳んで収納できる。
【００８１】
尚本発明の図１７、１８の技術的思想はこの図のみに限定するものでなく、
各部位の技術を本発明で開示された他の実施例に応用することも出来る。
例えば図１７の中子躯体控柱Ｉ６２ｂ等と張出梁Ｉ６２３ａとＩ６２３ａ１等を図１４に採用すると傾斜のある該控柱が立設でき、更に図１７の動力装置Ｉ６３２ｂとラッツクＩ６２１ｂを利用して図１４の転倒防止装置控柱Ｉ３４ａを単独で上昇させることが可能で、この時必要に応じて頂部接合Ｉ３４ｃは接合してもしなくてもよい。
【００８２】
該中子躯体主柱の上昇に合わせて中子躯体控柱Ｉ６２ｂの天端のロ‐ラーＩ６２３ａ１が張出梁Ｉ６２３ａと連結して必要により噛会っているので移動しながら中子躯体控柱は上昇して所定の位置で停止してロックされる。
必要に応じてギアーＩ６３２ｂ及び／又はモーターＩ６３２ａを設けることも可能で該ギアー等でロックされると該中子躯体は支持力が増す。
【実施例１６】
【００８３】
図１９は沖合即ち離岸状態の本発明の構造手段を有するアンカーに載置した築堤型津波防波堤の側断面図である。
適宜の形状の築堤浮子本体ＡＰ１１は築堤防波堤上部工ＡＰ０１である前記波力発電防波堤Ｈ１と固定型防波堤Ｂ９と可動防波堤Ｃ９と減勢池Ｆ９と固定防波堤Ｄ９を載置出来る大きさの中空の函体を有している。
上記上部工と函体を構造手段の脚柱のアンカーＡＰ１２が支えている。
該アンカーは築堤部アンカー鉛直材ＡＰ１２ａと築堤部アンカー水平材ＡＰ１２ｂ及び/又は築堤部アンカーブレ‐スＡＰ１２ｃの架構体が一部又は全部選定されて適宜の間隔で設置され、その間の桁行方向も築堤部アンカー水平材及び／又は築堤アンカーブレースが一部又は全部選定されて連結された立体ラーメンの架構状態をなしている。
【００８４】
海中の流水を防ぐために適宜の材料からなる築堤時止水板ＡＰ１３ａを設けることも可能である。該止水板が強度的に弱い場合は築堤部アンカー鉛直材
ＡＰ１２ａ２、ＡＰ１２ａ２のいずれか又は双方で挟み補強することも可能で、該止水板は津波時に支障ない程度の通水孔ＡＰ１３ａをもうけると内水と外水とに流水して水の淀みが無くなる。
更に必要に応じて該アンカーＡＰ１２ａ１とＡＰ１２ａ３のいずれか又は双方に該止水板ＡＰ１３ａ、ＡＰ１３ｃを設けることも可能で、必要に応じて前記通水孔を設けてもよい。
【００８５】
築堤上部工より前方に必要に応じて別の浮子型可動防波堤ＡＡ１を設置する。
該防波堤は前記図３の設置台Ａ４５ａの別の設置台で該設置台ＡＡ１５は柱脚の鉛直材ＡＡ１５ａ１とＡＡ１５ａ２からなり必要により基礎球根ＡＡ１５ａを設け、水平材ＡＡ１５ｂ１とＡＡ１５ｂ２及び／又はブレ―スＡＡ１５ｃより構成されている。前記同様に該架構体は適宜の間隔で桁行方向に設置され適宜水平材及び/又はブレースで連結されている。
該鉛直材の上端に設置板ＡＡ１５ｄ１、ＡＡ１５ｄ２が浮子本体の形状に対応した形で設置されている。この上に適宜の形状の浮子本体ＡＡ１１ａ、ＡＡ１１ｂが１又は２以上設置されている。
【００８６】
ここで浮子本体ＡＡ１１ｂの頂部は浮子本体ＡＡ１１のＡＡ１１Ｐと波力発電の導流壁のＨ１２Ｐと結んだ線上に来るようにアプローチを設置するとアンカー遮水帯ＡＡ１２１等もこの線上に来る。
これをアプローチ水平材とし、海中の流水がこの板状に沿って上昇するので常時流水方向の流水エネルギーＨＷ１が収束されるので波力発電の導流水力が一層大きく増す。
更に必要により内海側に本発明で開示した浮子装置Ａ９０３を設けることもある。これは津波の引き波に対応するためである。
又アプローチ水平材と設置台を合わせてアプローチ設置台とする。
尚常時であるので常時発電水位ＨＭＷＬで発電装置により発電している。
【実施例１７】
【００８７】
図２０は図１９の津波時の築堤型防波堤可動状況説明図で、図１９の築堤型防波堤が津波時に可動した状態の説明断面図で図８と図１０の符号と機能は同じで、更に図１から図１５の防波堤の機能等も同じのところがあるので主な箇所のみ説明する。
前記同様に津波の情報によりロツクがはずれ、浮子本体ＡＡ１１ａ、ＡＡ１１ｂは浮上してアンカーピンＡＡ１５Ｃ１PＮ、ＡＡ１５Ｃ２に連結されたアンカーＡＡ１２ａ、ＡＡ１２ｂにより強固に浮子本体は連結されているので第１波ＴＷ１、第２波ＴＷ２、第３波ＴＷ３及び遮水帯ＡＡ１２１、ＡＡ１２２、ＡＡ１２３により津波の勢力はかなり減勢され第４波のＴＷ４時には流速は可なり減速されている。
この時波力発電装置は前記各装置の可動により梃子梁は停止状態にあるので発電は停止しているが、築堤防波堤に設けた可動型防波堤ＩとＣは稼働している。構造手段の桁行方向と脚柱アンカーを追加補強している。
必要に応じて津波の引き波時の対応として内海の適宜の位置に浮子装置ＡＡ１１ｃ等を１又は２か所以上を設けることも可能である
【実施例１８】
【００８８】
図２１は津波時の別の離岸築造型防波堤の防波堤作動時断面図。
前記図２０と上部工と他の施設は基本的に変わりはないが異なる点は浮子本体ＡＰ２１ａが船の役割をなし上部工全部の荷重を該浮子本体で負担している。
波力に対して安定を増すために適宜の形状も可能であるが本例では該浮子本体の船底ＡＰ２１ａ１は一般的な船の底をなし、浮力又は安定が足りないときは適宜の形状と大きさの補助の浮子本体ＡＰ２１ｂ、ＡＰ２１ｃを適宜の位置に取り付けたり、該補助浮子本体を１個又は２個以上適宜の梁材で連結して
浮子本体ＡＰ２１ａを省略することも可能である。
更に浮子本体ＡＰ２１ａが安定しているので前記築堤型アンカーＡＰ１２を省略してアンカーロープＡＰ２２ｄ１、ＡＰ２２ｄ２をアンカー止ＡＡ２６ａ、ＡＡ２６ａを１又は２以上設ける。
【００８９】
前記同様遮水板ＡＰ２３ａゴム等の強度がなく水深が深い場合は自立できないので遮水板補強手段ＡＰ２３ｂの鉛直材及び／又は水平材を設け、これに浮子本体ＡＰ２１ｄ、ＡＰ２１ｅを併用したり、単独で設けてもよい。
尚遮水板の両端は船底に適宜の方法で固定して他端はアンカー止ＡＡ２６ｂに埋設する。
本発明の特徴は波力発電時電力を多く発電するために動力装置への波高を高くする必要がある。この為に海底近傍の流水力を凝縮してシリンダー壁Ｈ１１に強力に導流するためには海底付近からシリンダー壁までを適宜の長さの直線状のアプローチを作る必要がある。
この為に潮の干満を考慮してシリンダー壁の交点Ｈ１３Ｐと浮子本体ＡＡ２１ａの中央点ＡＡ２１ｐを直線の板状態を作ると海中流水力ＫＷ１、ＫＷ２はアプローチ線に沿って上昇しながら流水力は凝縮して波高も高くなりピストン壁の動力装置の動力受圧板Ｈ２１に作用する。
【００９０】
このアプローチ線と台を作るために浮子本体のアンカー収納箱ＡＡ２３ａとＡＡ２３ｂと設置台ＡＡ２５ａ、ＡＡ２５ｂを適宜の間隔とアプローチ線上に設定する。尚該設置台はコンクリート又はこれらに類するもので造られ図３３に示す様にマウンド形式で本発明のマウンドブロックを使ったり、通常のコンクリートブロック又は石等を使い、適宜該収納箱を設置することも可能である。
同じように潮の干満の変動対応を考慮した導流底板アプローチＨ１４ａと導流底板Ｈ１４、と受圧底板Ｈ１３をアプローチ線上の直線状に設定する。
尚該アプローチＨ１４ａの技術は本発明のすべてに採用可能である。
本図は平常時と津波時を兼ねて表現しているが、津波時前記同様の情報により津波水位ＴＷ０に浮子本体ＡＡ２１はアンカーＡＡ２２ａ、ＡＡ２２ｂに支持されて浮上する。
浮子本体ＡＡ２１ａは流木の多い所なので硬質の材料で造られ前記流水力の妨げにならないように浮子本体の上面を平らに設定されているが流水圧の抵抗は浮子本体の突起ＡＡ２１ｂ１の方が増す。
平常時はないほうがよく、津波時はあるほうが良い。このことを解決するには該突起ＡＡ２１ｂ１を突出自在にするために前記鞘手段の工法を採用する。      即ちＡＡ２１ｂ２を風船にしたりバネ状にしたり及び/又適宜の形状の笠板ＡＡ２１ｂ３を設けて突出自在しない固定型の該突起等の形状で解決できる。
又アプローチ水平材としてＡＡ２１ａ、ＡＡ２１ｂ、Ｈ１４ａ等で表し、
アプローチ設置台としてアプローチ水平材と設置台ＡＡ２５ａ、ＡＡ２５ｂで表す。
尚該笠板を図４（ａ）、（ｂ）のＡ５の脚の頂面に固着した形状も可能である。。
【実施例１９】
【００９１】
図２２は別の築造型防波堤の断面図で本件の築堤防波堤上部工ＡＰ０３は波力発電装置Ｈ３０のみである。前記同様に図８の固定防波堤Ｈ７が図２２でＢとして更に、浮子型可動防波堤Ｈ８がＡＨとして載置している。
本例の浮子本体ＡＰ３１は浮力で該上部工を支持している。浮子本体の安定と遮水板の効果を増すために必要に応じ浮子本体の一部として板状の浮子遮水板ＡＰ３１ａ１とＡＰ３１ａ２とその先端にバネとロ‐ラーＡＰ３１ａ３を設け揺れ防止に役たっている。
【００９２】
該浮子本体ＡＰ３１の両側に築堤型アンカーＡＰ３２の鉛直材ＡＰ３２ａ１を立設して１又は２以上のロ‐ラーＡＰ３１ＰＮ等を浮子本体に接する様に設けて該浮子本体の水平力をアンカー材に伝え、該上部工の荷重と潮の満ち引きを該ローラーで調整させている。
前記同様に鉛直材ＡＰ３２ａ２と水平材ＡＰ３２ｂ１と桁行ＡＰ３２ｂ２、ＡＰ３２ｂ３等によりアンカーは構成され、必要に応じて前記同様にブレ―スを設けることも可能である。
更に前記同様に遮水板ＡＰ３３ａ１の上端は前記ＡＰ３１ａ２とその下端は基礎ＡＰ３３ａ２に強固に連結されている。
【００９３】
前記図２１と同様に発電効率を増し、更に津波時はこの機構を津波防波堤に使用とするもので１石２鳥を狙った発明である。
このためにピンＡＡ３５ｂＰＮとシリンダ−壁の交点ＡＡ１３Ｐを結んだアプローチ線上に適宜の材料と構造材からなる設置台ＡＡ３５ｂ１を所定の長さと桁行間隔に設け、その上に板体又は布等を張るが、これに限定するものでなくスラブ構造であってもよい。
該水平材又はアプローチ水平材ＡＡ３５ｂ１の下端には基礎ＡＡ３６ａ１に強固に連結した回転ピンＡＡ３５ｂＰＮと連結しており、該ピンを中心に上下運動自在としている。又は他の方法として張出材ＡＡ３５ａ１０の先端に取着した回転ピンＡＡ３５ｂ１ＰＮをアプローチ水平材ＡＡ３５ｂ１に取着して回転ピンＡＡ３５ｂＰＮを除いてロープＡＡ３２等の操作により回転自在ＡＡ３５ｂ０とすることも可能である。
この様に適宜場所の条件に依りピン位置を設定出来る。又潮の干満も調整版Ｈ１４ｂを利用することもある。
尚該アプローチ水平材と設置台ＡＡ３５ａ１、ＡＡ３５ａ２を合わせてアプロ−チ設置台とする。
【００９４】
該水平材を支える設置台である鉛直材ＡＡ３５ａ１とＡＡ３５ａ２の間に設置台ＡＡ３５ｃがありその上に浮子本体ＡＡ３１ａ１が設置され該浮子本体の軸ＡＡ３１ａ２と水平材に走行自在に嵌着された車輪ＡＡ３１ａ４とを連結材ＡＡ３１ａ３で連結している。
別体で必要に応じて水平材の適宜の位置に浮子本体ＡＡ３１ｂや、その先端付近に浮子本体ＡＨ２のアンカーＡＨ３を設けることも可能である。
【００９５】
前記同様に津波情報によりアンカー収納箱ＡＡ３３のアンカーＡＡ３２を巻くとピンＡＡ３２ＰＮに連結された水平材ＡＡ３５ｂ１は立設して所定の位置で停止するか、又は浮子本体ＡＡ３１ａ１のロックを外し津波水位の上昇を待つ。津波上昇とともに浮子本体ＡＡ３１ａ１は上方に移動して津波水位で停止する。
必要に応じて設けた浮子本体ＡＨ１，ＡＨ２もアンカーＡＨ３で連結されているので津波に抵抗する。尚板体ＡＡ３５ｂ２はアプローチ全体に設けたり、
間隔を置いて設けたり、適宜の形状を有する孔を複数個設けたりすることも可能でこれは発電効率と津波抵抗が両立出来るように設定する。
【００９６】
図２３（ａ）は図２２のＡ−Ａ背面図で符号が一致するので同図と対象すると理解ができるので説明を省略する。
尚必要に応じてブレ―スＡＰ３２ｃを設けることもある。
図２３（ｂ）は図２２の別体の浮子本体の斜視図である。
浮子型可動防波堤ＡＨ１の浮子本体ＡＨ１１は羽車で軸ＡＨ１２を中心に津波流水圧により回転自在となり水流を効率良く減衰するように設計されている。
この様に本発明の浮子本体は多様な形状を提供している。
軸ＡＨ１２とＡＨ１４を連結板ＡＨ１３で連結して該軸ＡＨ１４にフックピン
ＡＨ３１が貫通してアンカーが強固に取り付けてあるので安全である。
【実施例２０】
【００９７】
図２４は図２２の浮子型アプローチ設置台付築造防波堤の変形例で浮子型築造防波堤の説明断面図で技術的には大きく違わないので異なる箇所のみ説明する。
本例は設置台ＡＡ４５ａ１の上に設置台ＡＡ４５ｂ１のピンＡＡ４５ｂ１ＰＮが設置され、更に該設置台の適宜の位置にピンＡＡ４２ａ２ｐｎにアンカーＡＡ４２ａ２の上端が連結され他端は収納箱ＡＡ４３のドラムとアンカー止に連結している。
通常はアプローチ水平材ＡＡ４５ｂ１は鉛直材ＡＡ４５ａ１〜ＡＡ４５ａ３等と水平材ＡＡ４５ｂ３〜ＡＡ４５ｂ５等の設置台に支持され必要に応じてブレースＡＡ４５ｃ等と、さらにその上端にピンＡＡ４５ｂ１１ＰＮとＡＡ４５ｂ１１が設けてある。
尚該アプローチ水平材と設置台を合わせてアプローチ設置台とする。
【００９８】
作動状態を説明すると該収納箱のドラムを巻くとアプローチ水平材又は設置台ＡＡ４５ｂ１はアンカーＡＡ４２ａ２とＡＡ４２ａ２ＰＮの作用で起立する。
必要に応じて設けたで設置台ＡＡ４５ｂ２の下端のピンＡＡ４５ｂ２ＰＮ２を起点に上昇回転し、その上端ピンＡＡ４５ｂ２ＰＮ１の輪がアプローチ水平材ＡＡ４５ｂ１の腹部に嵌着しているので設置台相互は起立倒立自在に設置されている。
該アプローチ水平材の適宜の位置に必要により設けた浮子本体ＡＡ４１ｂが浮上可能に設置されているので津波の水位上昇と共にアプローチ水平材も上昇する。
【００９９】
別体のアンカーＡＡ４２ａ１も前記アンカー同様にドラムを巻くとアプローチ水平材ＡＡ４５ｂ１１のピンＡＡ４２ａ１ＰＮとＡＡ４５ｂ１１ＰＮの作用で起立して所定の角度で停止する。これを設けると津波の波返になる。
更にアンカーＡＡ４２ａ１とＡＡ４２ａ１０を延長してその先端を波力発電装置の浮子本体ＡＨ２とＡＨ１に連結すると収納箱のドラムの巻き込みにより該浮子本体ＡＨ２等はアプローチ水平材ＡＡ４５ｂ１１に当接してアプローチ水平材ＡＡ４５ｂ１の浮力と減勢に効果を発揮する。
更に浮子本体ＡＨ２のストッパーＡＡ４５ｂ１２を設けてもよい。
尚設置台とアンカー等の操作をする収納箱ＡＡ４３は波力発電装置の地上面に設けることも可能で、この時折り返し中継点のプリー（図２９のＡＰ７６ｃ２等）を現在の海底の適宜の位置に設置する。
【０１００】
通常、波力発電装置に作用する波高を高くするとその発電効率が上がるので傾斜のあるアプローチ設置台を設け、その全面に浮子本体を設置して海中の流水を増幅させる方が最もその効率は上がる。
他方津波時はアプローチ水平材と該浮子本体を起立させて津波の流水圧を減勢させるために利用したい。
しかし前記同様に全面に適宜の形状と材質の板等からなる浮子本体を張ってもよいが張りすぎると減勢抵抗の水圧が増しアプローチ水平材又は設置台の強度補強が必要になり、  又この為にアプローチ水平材又は設置台が重くなる。これらの矛盾を解決する方法を図２５に示す。
即ち設置場所の水深又は地形等の条件に依っては必ずしも設置台全部を上げなくともその減勢効果をあげる事ができる。
【０１０１】
図２５は図２４のＡ−Ａ断面を表す。
図２５（ａ）は常時の側断面図で、図２５（ｂ）は津波時の側断面図である。
図においてアプローチ水平材又は設置台ＡＡ４５ｂ１、ＡＡ４５ｂ３上に添接された浮子本体ＡＡ４１ａ、ＡＡ４１ｂ共に直線上にあるが、津波時は設置台ＡＡ４５ｂ１、ＡＡ４５ｂ１が上昇して、ＡＡ４５ｂ３は残置されて不動の状態にあるので、該浮子本体も同様の状態となる。
従って浮子本体ＡＡ４１ｂ幅だけ隙間ができ水圧抵抗が減りアプローチ水平材又は設置台への抵抗は減り減勢効果は増すが、その割合だけ減ずることはない。
【０１０２】
この様に本発明は現場の水深、地形等によりいろいろな態様を取れる。
即ち、常時は波高を高くして発電効率を上げ、津波時は津波抵抗を増すために、前記した適宜の材料から成る硬質又は軟質の鉄、非鉄、コンクリート、ゴム、袋、樹脂、ガラス等又はこれらの材料に有機又は無機質等の繊維を混入した材料からなる該浮子本体に適宜の形状の孔を設けたり、浮子本体ＡＡ４１ａとＡＡ４１ｂとの接する面を平面的に凹凸つけたり、間隔をあけたり適宜の形状を採用することも可能である。
【０１０３】
更に波高を高くして発電効率を上げる為に、該浮子本体の流水方向に適宜の形状からなる波形等をした前記材料からなる固定形の浮子本体を取着したり、又は該板を適宜の幅にしてその端部をピン結合して、即ちドア状にして海中の流水に上下運動に反応させて波高を高くすることも可能である。
尚本発明は設置台と浮子本体が一体になった板状又は梁状の設置台でもよい。この場合浮子本体は省略される。
【実施例２１】
【０１０４】
図２６は別のアンカーの形態を説明する断面図で図２６（ａ）は図２６（ｂ）のＣ−Ｃ断面図で、図２６（ｂ）は図２６（ａ）のＡ−ＡとＢ−Ｂ断面図を示す。本発明のアンカーは前記のロープ、複数の構造材の組み合わせでなく１個のアンカーＡＰ４２ａ１でもよい。該アンカーは円形をしているが四角等適宜の断面で複数個あってもよい。
必要により該アンカーを上端で水平材ＡＰ４２ｂ１と下端でＡＰ４２ｂ２でその下に杭ＡＰ４６ｂ２で結んでいる。地盤が良ければ直接基礎でもよい。この形式は従来の橋梁形式で上部工として波力発電装置の浮子躯体Ｈ１４を載置している。該浮子躯体は箱型に限定するものでなくＣ型Ｈ１４１、Ｉ型Ｈ１４２、変形Ｃ型Ｈ１４３等を組み合わせて作ることも可能である。
該アンカー間に遮水板ＡＰ４３を設けている。その補強手段は前記同様に処理する。
【実施例２２】
【０１０５】
図２７は別のアンカーの説明図で図２７（ａ）は図２７（ｂ）のＢ−Ｂ断面図で、図２７（ｂ）は図２７（ａ）のＡ−Ａ背面図を示す。両図共符号は統一されているので合わせて説明する。
本アンカーは壁状又はスラブ状のアンカー鉛直材ＡＰ５２ａ１、ＡＰ５２ａ２とアンカー水平材ＡＰ５２ｂ２、ＡＰ５２ｂ３と必要により設ける水平材ＡＰ５２ｂ１、基礎ＡＰ５２ｂ４等がある。
上部工の載荷状態と水深等によりアンカー躯体幅は決定されるが、不安定又は用心のためにアンカーブレースＡＰ５２ｃ１，ＡＰ５２ｃ２いずれか又は双方を設けることもある。
アンカー水平材ＡＰ５２ｂ１を設けない場合は導流底板Ｈ１４．及び受圧底板Ｈ１３を鉛直材ＡＰ５２ａ１とＡＰ５２ａ２で負担したり、該水平材ＡＰ５２ｂ１を設ける場合は該導流底板等を省略して導流壁Ｈ１２等を該水平材に連結することも可能である。
尚構造物の適宜の長さに切断して伸縮目地ＡＰ７をもうけた理、必要におうじて適宜アンカ−ブレースを設ける。このことは本発明全部に採用できる
【実施例２３】
【０１０６】
本発明は前記築堤型防波堤と異なり、築堤型防波堤自身が浮子本体をなして、移動できる構造になっている。この様な移動型防波堤Ｋ１の特徴としては陸上又はドックで該防波堤と上部工を作成して現地まで引き船等で運び、既に施工されたアンカー止工に設置できる。又は湾口防波堤の通船用の開閉用に使用せることができる。即ち通常時は船を通す為に防波堤を開門し、津波時は防波堤を閉門にして津波に抵抗できる構造にも本発明は利用できる。
【０１０７】
図２８は本発明の移動型防波堤の説明図で、図２８（ａ）は移動型防波堤の側断面図で、図２８（ｂ）はアンカー止工の態様を説明する上面図である。
本例の上部工は前記鞘型防波堤Ｉ２を採用しているが本発明はこれに限定するものでなく他の鞘型防波堤又は波力発電型防波堤等を適宜現場の状況に応じて採用できる。
図１５の鞘躯体を変更して本発明の鞘躯体Ｉ７とし動力装置を図１３のバネ動力装置を採用した。この様に前記図の技術的思想を適宜現場の状況に応じて設計変更して採用することも本発明の技術思想に含まれるものである。
【０１０８】
鞘躯体Ｉ７１の中に中子躯体Ｉ７２が嵌着され係止長と嵌合Ｉ７２０で安定を保ち、該底板Ｉ７２ｂと鞘躯体の底板Ｉ７１ａとをバネの伸縮装置Ｉ７３ｂで連結して中子躯体の伸縮の役割をなし、バネの変形を防ぐために前記同様に必要に応じて棒状又は板状の変形防止材をＩ７２ｂに取付け上下運動自在としている。
バネの操作は前記同様で説明を省略する。
鞘躯体には必要により安定のために浮子本体Ｉ７１ｃと構造遮水板Ｉ７１ｂ１とＩ７１ｂ２を設けおりこの下端に遮水板ＡＰ７３ａ１を強固に取り付け他端には係止突起ＡＰ７３ａ２を設けている。
該移動型防波堤の可動状況を図２９と併せて説明する。符号等は統一されている。
【０１０９】
図２９は図２８のアンカー止工の説明図で図２９（ａ）はアンカー止工の嵌着前の斜視図で同図（ｂ）はアンカー止工の嵌着後の斜視図を示す。
浮子の役割をなす鞘躯体Ｉ７１にはアンカーＡＰ７２ａ１とＡＰ７２ａ２が適宜の傾斜をなして固定され、この下端に係止突起ＡＰ７２ｅ１とＡＰ７２ｅ２が付設されて、さらにその先端にロ−ラーＡＰ７２ｅ３がついたり、つかなかったり適宜処理されている。
移動はＩ７２１（図３２のＫ０５等）よりなされアンカーの先端の係止突起ＡＰ７２ｅ１、ＡＰ７２ｅ２とＡＰ７３ａ２がアンカ―止ＡＰ７６ａ１、ＡＰ７６ｂ１、ＡＰ７６ａ３の挿入孔ＡＰ７６１に挿入され中央操作室よりの操作によりロープ、ワイヤ、チェ‐ン、ラック等の伝達手段から選定されたロープＡＰ７６ｃ１を回転させるとアンカーの中のギアー回転して係止突起に嵌着噛合してラチェット等で止めたり、又は係止突起を挟んで係止させる等現在の技術で係止して津波等の振動と圧力に耐える構造になっている。尚輪ＡＰ７６ｃ２等は中間に１又は２以上設置するとたるみがなく安全に操作できる。
【０１１０】
図２８（ｂ）に示す様にアンカーアンカー止が移動に支障ないように位置をずらしたり、アンカー止を切断ＡＰ７３ａ１１したりしている。
又アンカー止ＡＰ７６に別対応としてロープＡＰ７６ｃ１の移動によって係止突起ＡＰ７２ｅ２が孔ＡＰ７２ｅ３より出入りできるので材料同志のピン結合又はロック等に使用できる。該突起は適宜の位置に設置できる。
【実施例２４】
【０１１１】
図３０は別の移動型防波堤Ｋ２の側断面図で図３０（ａ）は平常時又は小、中規模津波対応状態の側断面図でレ−ル部とローラの嵌合状態を示す図を側面から見た側面図と、その側面部の断面図をその反対側に示す。
図３０（ｂ）は同図（ａ）の大規模時の移動型津波防波堤の断面図で符号等は統一されているので両図にまたがって説明する。
本発明は図１６を一部設計変更した防波堤で中子躯体Ｉ５２を浮子本体Ｉ８２にしたことである。
中子躯体底板Ｉ８２ｂの上部に浮子本体の機器装置Ｉ８３があり、その下方に必要により設けるアンカー止ＡＰ８６ｂ１と嵌着するための機器装置Ｉ８３ａのジャッキＩ８３ａ１とシャフトＩ８３ａ２が伸びた形で挟み機Ｉ８３ａ３と連結している。
【０１１２】
他方鞘躯体の適宜の位置に構造材のアンカーＡＰ８２が片側又は両方付設されてその先端に係止ロ−ラーＡＰ８２ｅ１がアンカー止レ―ルＡＰ８６ａ１に嵌着してアンカ−止基礎ＡＰ８６ａ２及び／又は杭ＡＰ８６ａ３に固着されている。
該移動防波堤を所定の位置に該レ―ルを介して移動して所定の位置に停止するとロ−ラーにロックがかかり固定されるか又はローラーにギアーが添接されレ―ルにラックと噛み合って先のラチェット等でロックされる。
又遮水板のアンカーのロックはジャッキシャフトを下げると挟み機が開きアンカー止ＡＰ８６ｂ１に嵌着して閉まることが可能なように設計されている。
尚ＡＰ８６ｂ１のＡＰ８６ｂ１１が必要により適宜伸びるように設計されている。
【実施例２５】
【０１１３】
図３１は別の移動型防波堤の説明図である。図３１（ａ）は同図（ｂ）のＡ−Ａ側断面図で、図３１（ｂ）は同図（ａ）のＢ−Ｂ背面図である。
符号は統一してあるので図２２と図２８〜３０とを対照にしながら説明する。
本発明は図２２の築堤型防波堤を移動型防波堤に設計変更したものである。
従って内容は基本的に変わらないいので変更部分のみ説明する。
移動型防波堤の良い点は船の出入り等又は津波時の開閉等の利便さもあるが、他に良い点は修理等に便利である。
【０１１４】
即ちアンカー躯体を修理するときは上部工Ｈ１を現場に浮かせ、アンカー躯体のみドックに運んだり、又反対に上部工の修理はアンカー躯体から上部工を離してドックに運ぶ等自在に切り離しができるので修理に便利である。
第２に発電装置全体が潮の干満に対応するので受圧板連結柱Ｈ２３と梃子梁Ｈ３１の連結の機械装置が単純化される。
この事を実現するためにアンカー躯体ＡＰ５２ａ、ＡＰ５２ｂと上部工躯体Ｈ１を切り離し必要に応じてロ‐ラーＡＰ５１ＰＮを設け潮の干満に対応した。
アンカー躯体の下方は前記の地盤Ｇ２１と切り離し運行自在とし、あらかじめ所定の場所に設置されたアンカー止工ＡＰ９６ｂに載置したＡＰ９６ａの挿通孔に該アンカー躯体の係止突起ＡＰ９２ｅ１を挿入して脱着可能にしている。    
又アンカー躯体の鉛直材に必要に応じて遮水板ＡＰ５３ａ３および/又はＡＰ５３ａ４を適宜の材料で設置してもよい。
【０１１５】
第３に上部工躯体に作用する発電用波圧がアンカー躯体ＡＰ５２ａ１に負担をかけるのでそれを補う為に水平材ＡＰ５２ｂ２を設ける。その結果潮の干満の差の支障が上部工に発生するので水平材干満空間ＡＰ５２ｂ０を設けた。
第４に発電用躯体の安定と遮水として設けたＡＰ５３ａ１は直板にして添接版ＡＰ５３ｂを介して遮水板ＡＰ５３ａ２を設け、その先端はアンカー止ＡＰ９６ａ２と遮水板の係止突起ＡＰ９２ｅ２とを脱着可能にしている。潮の干満差は該遮水板をゴム等の折り曲げできる材料か又は該アンカー止に長孔等設けて対応する。
【０１１６】
第５に浮子型防波堤ＡＨ１ａとＡＨ１ｂをアンカーＡＨ２で連結して収納箱ＡＨ３と結んだ。この様にすると浮子本体の管理と浮揚のための気体又は液体を注入することなく津波時に素早く対応できる。更に前記同様にアンカーの収納場所を発電装置の地上側に設置して収納箱の操作機を地上に置くと海水の腐食と管理操作が良くなる。このために現在海中にある収納箱の位置にアンカー誘導機ＡＨ２ＰＮ３（同図のＡＨ２ＰＮ２、図２９のＡＰ７６ｃ２等）を新たにもうけ、折り返して先のＡＨ２ＰＮ２（図２９のＡＰ７６ｃ２等）を介して地上の収納箱のドラムと操作機に連結して操作すると便利である。
【実施例２６】
【０１１７】
図３２は沖合又は湾口防波堤の配置平面図である。
壺状の地形の沖合に防波堤を作った場合湾内に港があるとその出入りが必要であり、更に津波時にはその進入を防ぐ必要がある。
このことを解決するにはその出入り口を開閉させる扉があると便利である。
本発明は図２８〜図３０の技術を採用して、新たな技術を付加したもので、この技術を図３２に示す。
図３２（ａ）は湾口防波堤Ｅ１〜Ｅ３と移動型防波堤ＫａとＫｂの配置状況を示している。
【０１１８】
湾口防波堤Ｅは前記図１〜図２７までを適宜地形と地域の状況に合わせて採用している。
常時は該移動型防波堤Ｋａ１とＫｂ１の端部と防波堤Ｅ１、Ｅ２の端部が回転自在のピンＫ０１、Ｋ０１で連結さているので船の航行幅Ｋａ３とＫｂ３を確保することは容易である。
津波時は移動防波堤Ｋａ１はＫａ２へ、Ｋｂ１はＫｂ２へと移動して閉鎖されるので津波に対して十分対応できる。尚移動型防波堤の沖合前面と内海の湾内のいずれか又は双方に浮子型防波堤等を設けることも可能である。
【０１１９】
図３２（ｂ）は前記移動防波堤Ｋａ１、Ｋｂ１の操作方法を説明する説明上面図である。
該防波堤の端部付近に操作室Ｋ０３のモーターとギアー等の機械に連動した回転自在のプ−リーＫ０４、Ｋ０８，Ｋ０９等にロープＫ０５，Ｋ０６，Ｋ０７が無端状に連結している。
上記機械操作により移動防波堤に連結したロープは移動して該防波堤はピンＫ０１を基点に開閉する。更に気密凹凸Ｋ０２１とＫ０２２の作用で漏水がない。開く場合はロープを逆に回す。
必要に応じてスクリュウＫ０３を併用又は単独でもよい。
尚図３２（ｂ）のＡＰ７２、ＡＰ８２、ＡＰｎ２、ＡＰｎ６等は図２８、図２９のアンカー躯体とアンカー止を表示している。
【実施例２７】
【０１２０】
図３３は本発明のマウンド型防波堤の側断面図で、先の図１の固定型防波堤Ｄに類似しているが本例はマウンドブロックＥ１を使用したことである。
２０１１年３月１１日の東日本大震災の津波による防波堤の被害は防波堤躯体よりはその基礎のマウンドの築堤ブロック流失による被害が多く見られた。
これは海底からの津波流水の巻上げにより該ブロックに浮力がかかり流失したり、又は流水が越波してその箇所の基礎ブロックが流出して基礎がすくわれた状態になり防波堤躯体が転倒したものと考えられる。
このことを解決するには該ブロック同士を鉛直方向に連結することで、更に必要に応じて、水平方向にも連結して連帯効果を高め全体の重量を増加させ津波の流水圧に複数ブロック全体で抵抗する様にしたものである。
【０１２１】
この為に、海底地盤Ｇ２１に適宜の形状と大きさのマウンドブロックＥ１を敷設して必要に応じて横方向に連結した後、２段目ブロックを荷重分散のために千鳥状に敷設したあと鉛直方向に連結する。
この作業を繰り返し積み終えたあとか又は各段ごとマウンド法面勾配１：Ｎ１、１：Ｎ２を有するマウンド法面仕上げＥ４をかど対応ブロックＥ４で仕上げたり又は前記適宜の建築材料で仕上げる。その後別の場所で造られた築堤防波堤ＥＤ、Ｈ６０、ＡＰ０６等を所定の場所に運び沈めて設置する。
必要に応じて浮子型可動防波堤ＡＡ等を前記同様に採用する。
尚法面勾配１：Ｎ１を発電効率を上げる勾配にしたり、図１９から図２５に設けた設置台及び浮子本体等を設けたりすることも可能である。
これらの本技術は前記固定型防波堤Ｄにも適用可能である。
【実施例２８】
【０１２２】
図３４（ａ）はマウンドブロック単体の斜視図で、図３４（ｂ）はマウンドブロックを２段組積した場合の組積上面図。図３５（ａ）はマウンドブロックを３段積んだ場合の側断面図で、図３５（ｂ）はマウンドブロックを２段組積した場合の説明詳細断面図で図３５（ａ）の連結材と隣接連結材との連結状況を説明するための詳細断面図で、図３５（ｃ）は同図（ｂ）の連結具の連結方法の別の施工手順前の側面図で、図３５（ｄ）は図３５（ｃ）の施工手順後の側面図で図３４，３５は全部関連して符号も同じなので全部まとめて説明する。
【０１２３】
図３４（ａ）の矩形状のマウンドブロックＥ１、Ｅ１ａの４か所の角に１/４の円形、即ち９０度円形の水平連結孔Ｅ２１ａを有し、隣接する該ブロックと連結するためにの水平連結材Ｅ１１ａを１又は２以上設け、隣接する該水平連結材Ｅ１１ｂとが互いに重なり接する様に位置に設置され躯体に強固にアンカーＥ１１ｂ１１、Ｅ１１ｂ２１されている。
他方該ブロックの中央は下段の該ブロックＥ１ｂ１とＥ１ｂ２の水平連結材Ｅ１１ｂ１とＥ１１ｂ２等と連結するための鉛直連結孔Ｅ２２ａ１のＥ２２ａ２に鉛直連結材Ｅ１２ａ１の先端のネジと下段該ブロックの水平連結材Ｅ１１ｂ２２のネジとを噛合させるために挿通して上下該ブロックを連結する。
必要により該連結孔に適宜の材料の硬化性充填材Ｅ３を充填する。
【０１２４】
本ブロックの敷設方法は横より滑らして設置する計画であるが現地の状況により横から敷設できない場合は図３５（ｃ）に示す様に先に設置された該ブロックＥ１ｂ１の連結材Ｅ１１ｂ１１とＥ１１ｂ１２を縦に回転させ、隣接該ブロックＥ１ｂ２の連結材Ｅ１１ｂ２１とＥ１１ｂ２２を縦にして前記ブロックとを当節したあと該連結材を同図（ｄ）の様に半回転６ｂさせると先の連結材が挿通可能となる。
この時連結材はボルトとナットの関係の様にアンカーを軸に回転自在に作られていることは言までもない。
【０１２５】
図３６（ａ）は別の連結具の断面図で、図３６（ｂ）は同連結具の使用状況断面図を示す。図３６（ａ）は公知の連結具の断面図で、図３６（ｂ）は隣接ブロックとの連結状態の断面図で水平連結材Ｅ１１ａとＥ１１ｂを当接後、鉛直連結材Ｅ１２ａを挿通して連結材Ｅ１２ａを回転させると先端の板Ｅ１２ａ２１、Ｅ１２ａ２３がネジの作用で上昇して躯体Ｅ１２ａ２２をつぶして鉛直連結材Ｅ１２ａと水平連結材Ｅ１１ａとＥ１１ｂは強固に連結される。
【０１２６】
図３７は別の連結材の説明図で同図（ａ）は鉛直連結具の断面図で、同図（ｂ）はプレートの上面図で、同図（ｃ）は連結状態の断面図を示す。
図において、中空管の連結材Ｅ１２ａ１の上端に板Ｅ１２ａ１ＴＰが付設されその中央に逆止弁付充填孔Ｅ３１が設けてあり、その他端には充填可能な材料からなる充填袋Ｅ１２ａ２が連結材Ｅ１２ａ１に強固に接合して付設されている。
前記同様に連結材Ｅ１１ａとＥ１１ｂを当接後鉛直連結材を挿通して充填孔Ｅ３１より充填材Ｅ３を充填すると該袋は膨らんで硬化して該ブロツクを強固に連結する。
【実施例２９】
【０１２７】
図３８は別のマウンドブロックの設置平面図である。
第１段目ブロックＥ１ｂ１〜Ｅ１ｂ９を９個並べ該ブロックには横水平方向と横縦方向へ半円形連結孔Ｅ２１ｂと台形Ｅ２１ｂ１が長方形の該ブロッツクの中央に設けて横方向の連結をなしている。
他方上段に下段６個のブロックに股がって上段ブロックＥ１ａ１、Ｅ１ａ２を載置して中央２か所Ｅ１２ａ１とＥ１２ａ２の鉛直連結材で該ブロックを連結している。鉛直方向は２か所で６個の下段ブロックを抑えている。
この様に１個づつの連結から数個に股がつての連結も本発明は可能である。
【０１２８】
図３９は別の水平及び／又は鉛直の連結手段の側断面図で前記同様に上下段ブロックにまたがって連結孔Ｅ２２を設け鉛直連結材Ｅ１２ａ１、Ｅ１２ａ１ＴＢと板Ｅ１２ａ１ＴＰ等を設置して該板に設けた充填孔より充填材Ｅ３を充填すると充填材の硬化作用で該ブロック同士は強固に連結される。
この時充填時に板Ｅ１２ａ１ＴＰがその圧力で浮き上がらない様に設計されていることは云うまでもない。
尚該ブロックＥ１ａとＥ１ｂに互いに嵌合及び/又は係合する突起Ｅ４を必要に応じて適宜の個所に設けている。
【０１２９】
図４０は別の連結手段の断面図で、図４０（ａ）は連結前の側断面図で、同図（ｂ）は連結後の側断面図を示す。
本発明は連結孔に充填材を打設する際該孔から充填材が漏液する可能性があり、このために海洋を汚濁することが懸念されていた。
本発明はこれを解決するもので材料の選択によっては腐食度の少ない連結方法を提供できる。
該マウンドブロックＥ１ａ、Ｅ１ｂの適宜の位置に、必要により先の係合突起Ｅ４の凹凸を設けた鉛直及び/又は水平連結孔Ｅ２２に、適宜の大きさの連結用袋Ｅ１２ａ２の開口端に板Ｅ１２ａ１ＴＰを接着して、その上部にワッシャＥ１２ａ１ＰＬをのせ、袋の中に設置したボルトＥ１２ａ１ＴＢの上端をナットＥ１２ａ１ＮＴで締結したものをセットして充填孔Ｅ３１より硬化性充填材Ｅ３を充填する。
硬化後該袋は連結孔又は必要に応じて設ける連結孔の凹凸面Ｅ２２ｃに強固に係着して該ブロックは強固に連結される。必要によりボルトＥ１２ａ１ＴＢは省酪でき該ボルト孔を充填孔に利用できる。
【０１３０】
図４１は別の連結手段の断面斜視図で該ブロックＥ１ａ１とＥ１ｂ１の適宜の位置にフック状の連結材Ｅ１１ａとアンカーＥ１１ｂ１１を有するリンクＥ１１ｂが設置されている。さらに必要により連結孔は平壁Ｅ２１ａとＥ２１ｂをしている。
【０１３１】
図４２は図４１の連結手段を説明している。同図（ａ）はブロック同士が連結した状態の側断面図で、同図（ｂ）は該ブロックの連結部の斜視図を示す。
両図に於いて、連結孔は半円形をなして上記図４１の連結具が係止されている。
【０１３２】
図４３は別の鉛直方向の連結手段の説明図で同図（ａ）水平と鉛直方向の連結状態を示す上面図で同図（ｂ）は同図（ａ）に使用する連結具の斜視図。
図に於いて台形の連結孔Ｅ２１ａとＥ２１ｂを有するブロック同士Ｅ１ａ１とＥ１ｂが当接して連結材Ｅ１１ａとＥ１１ｂが前記同様にボルトＥ１２ａ１ＴＢの先端板Ｅ１２ａ２を挿通可能の形状をなしているので挿通後該ボルトを反転すると該ブロックは強固に連結される。
【実施例３０】
【０１３３】
図４４から図４６までは別のマウンドブロックの説明図で符号等はすべて統一されているので全図合わせて説明する。
図４４（ａ）は本発明の６脚マウンドブロックＥ１、Ｅ１ｄの斜視図で、
該ブロックの特徴は組積したとき本体と隣接ブロックが噛会っているので水平方向の流水に対しては対応できる。
しかし津波特有の揚圧力に対してはやや不安な面もあるので横方向即ち水平方向及び/又は鉛直方向の連結手段を行えば解決する。
立体正方矩形Ｅ１ｄ０の６面よりこれと対応する適宜の長さの矩形体の脚Ｅ１ｄ１からＥ１ｄ６の６脚が張出しており、この形状は組積された隣接ブロックに嵌着して水平方向と鉛直方向に組積可能にできている。
従ってこの様に多層に組積できる６脚型ブロックであればその脚の形状にはこだわらない。
必要に応じて該脚の端面Ｅ１ｄ４０、Ｅ１ｄ５０等に先の連結孔Ｅ２１と水平連結具Ｅ１１及び/又は鉛直連結具Ｅ１２を先の図３４から図４３までの又は公知の連結手段Ｅ１０から１又は２以上適宜選定して設け、さらに係止突起Ｅ１ｊ２を必要に応じて設けている。
【０１３４】
図４４（ｂ）は別の６脚マウンドブロックの斜視図で、同図（ａ）と異なる点は脚Ｅ１ｄ１１および他のいずれかの脚に隣接する該ブロックとスムーズに嵌着できるように面取りＥ１ｊ０、Ｅ１ｊ１等を設けたり、脚Ｅ１ｄ１１からＥ１ｄ２１に鉛直方向の連結手段の連結孔Ｅ２２ａを設けているので隣接ブロックとの連結手段による連結が可能となる。
又必要に応じて脚Ｅ１ｄ１１とＥ１ｄ２１は長さが異なることもある。
【０１３５】
図４５は組積説明図で、図４５（ａ）は組積上面図で図４５（ｂ）は同図（ａ）のＣ−Ｂ切断面図で隣接ブロックＥ１ｅ、Ｅ１ｆ、Ｅ１Ｇ、Ｅ１ｈを４個並べその空間Ｅ１ｄ０に脚Ｅ１ｄ２を嵌着して設置した説明図で図４４と対応してもらえば理解できると思う。
【０１３６】
更に図４５を理解して頂ける為に図４６組積断面斜視図を用意した。
図４６（ａ）は図４５（ａ）のＡ−Ａ断面斜視図で同図（ｂ）は図４５（ａ）のＡ−Ｃ断面斜視図である。
図４６（ａ）は該ブロックＥ１ｅ、Ｅ１ｈにＥ１ｄが嵌着した状態の斜視図で同図（ｂ）は該ブロックＥ１ｅにＥ１ｄのブロックが嵌合した断面斜視図で
図４４から図４６までを符号をおってみれば理解できると思う。
尚敷設の時最下段は該ブロックＥ１ｄ２を、上段はＥ１ｄ１をカットしたものを使用してもよい。
【産業上の利用可能性】
【０１３７】
２０１１年１２月５日現在までの新聞、テレビ等のニュースによると大学、コンサルタント、設計事務所及び各会社等から多くの復興計画案が出されている様ですが、これらの計画案は高台移転した時の街の形とか、従来の防波堤の高さが１０ｍでだめなので復興案は１５ｍにするとか復興計画が従来の範疇から抜け出ていない計画案の様です。
これらの案に住民は満足していないとの様子です。住民も私達も求めるものは過去の市街地の形を否定してそこに新規の世界にない、将来的な新しい創造的アイデアを盛り込んだ計画案を要求しているものだと考えます。
【０１３８】
１例としてロ−ンがまだ残っている家屋を流され、新たにローンを組んで家を建てる等の２重ロ−ンの問題、産業の再生による就職問題、景観を考え、観光客を呼び戻す為に防波堤は低くしたい等多くも問題が解決できる復興計画案になっていないと思います。
被災者の希望と要求したい計画案は前記１例を含んだ計画案が直接利益を生み、津波も防げる防波堤を要求していると考える。又このような防波堤があれば地元の人々にとってはありがたいと思います。
これらの計画と事業は地元民にとって喫緊の課題と思います。
本発明はこの様な問題を解決するもので、現場の地形的条件、経済的な事情、将来的な産業と研究を考慮した津波防波堤を提供することができるもので産業上の利用の可能性は十分あります。
【符号の説明】
【０１３９】
Ａ１、Ａ２，Ａ３・・・Ａｎ      浮子型可動津波防波堤、浮子型可動防波堤
可動防波堤
Ａ１１、Ａ２１、Ａ３１、・・Ａｎ１          浮子本体
Ａ１１ａ、Ａ２１ａ・・・・・Ａｎ１ａ        浮子本体
Ａ１１ｂ、Ａ２１ｂ・・・・・Ａｎ１ｂ        浮子本体
Ａ１２、Ａ２２、Ａ３２、・・Ａｎ２          アンカー
Ａ１２ａ、Ａ２２ａ・・・・・Ａｎ２ａ        アンカー
Ａ１２ｂ、Ａ２２ｂ・・・・・Ａｎ２ｂ        アンカー
Ａ１２１、Ａ２２１・・・・・Ａｎ２１          アンカー遮水帯
Ａ１２２、Ａ２２２・・・・・Ａｎ２２          可動式固定装置
Ａ１２３、Ａ２２３・・・・・Ａｎ２３          ロ−ラー
Ａ１２４ａ、Ａ２２４ａ・・・・・Ａｎ２４ａ          レ―ル
Ａ１２４ｂ、Ａ２２４ｂ・・・・Ａｎ２４ｃ    レ―ル基礎
Ａ１２４ｃ、Ａ２２４ｃ・・・・Ａｎ２４ｂ    レ―ル基礎杭基礎杭
Ａ１３、Ａ２３、Ａ３３、・・Ａｎ３          アンカー収納箱
Ａ１３ａ、Ａ２３ａ、Ａ３３ａ・・Ａｎ３ａアンカー収納箱躯体、収納箱躯体
Ａ１３ｂ、Ａ２３ｂ・・・・・・Ａｎ３ｂ      収納箱蓋
Ａ１３ＰＮ、・・・Ａ６３ＰＮ・・Ａｎ３ＰＮ  ピン又はヒンジ
Ａ１４、Ａ２４、Ａ３４・・Ａｎ４            操作設備機、操作設備
Ａ１４ａ、Ａ２４ａ・・・・Ａｎ４ａ          ドラム、束ね巻き等
Ａ１４ｂ、Ａ２４ｂ・・・・Ａｎ４ｂ          収納された浮子本体又はアン
カー
Ａ１４ｃ、Ａ２４ｃ・・・・Ａｎ４ｃ          操作設備管
Ａ１４ｄ、Ａ２４ｄ・・・・Ａｎ４ｄ          アンカー操作機器
Ａ１５、Ａ２５、Ａ３５・・Ａｎ５            基礎、設置台
Ａ１６、Ａ２６、Ａ３６、・・Ａｎ６            アンカー止工、アンカー止
Ａ１６ａ、Ａ２６ａ、・・・・Ａｎ６ａ          アンカー止杭
Ａ１６ｂ、Ａ２６ｂ、・・・・Ａｎ６ｂ          アンカー止重力型
Ａ１６ｃ、Ａ２６ｃ・・・・・Ａｎ６ｃ          アンカー止連結材
Ｂ、Ｂ１、Ｂ２、Ｂ３・・・・Ｂｎ  固定型津波防波堤、固定型防波堤、                                    固定防波堤（構造式又は重力式）固定防波堤躯体  
Ｂ１ａ、Ｂ２ａ、・・・・・・・Ｂｎａ            構造式固定防波堤
Ｂ１ｂ、Ｂ２ｂ、・・・・・・・Ｂｎｂ            重力式固定防波堤
Ｂ１１、Ｂ２１、Ｂ３１、・・・Ｂｎ１            固定防波堤壁
Ｂ１２、Ｂ２２、Ｂ３２、・・・Ｂｎ２            固定防波堤頂部、又は頂板
Ｂ１３、Ｂ２３、Ｂ３３、・・・Ｂｎ３            固定防波堤底板
Ｂ１３ａ、Ｂ２３ａ、・・・・・Ｂｎ３ａ          底板砕石（捨コンリートを含                                                          む）
Ｂ１３ｂ、Ｂ２３ｂ、・・・・・Ｂｎ３ｂ          埋戻材（石、コンクリート
ブロック、土、がれき等）
Ｂ１４、Ｂ２４、Ｂ３４、・・・Ｂｎ４        波返し、
Ｂ１５、Ｂ２５、Ｂ３５、・・・Ｂｎ５        基礎杭
Ｂ１６、Ｂ２６、Ｂ３６、・・・Ｂｎ６        シートパイルとうの止水版
Ｂ１７、Ｂ２７、Ｂ３７、・・・Ｂｎ７        鉄筋又は無筋コンクリートスラ                                                    ブ、又は梁
Ｂ１８、Ｂ２８、Ｂ３８、・・・Ｂｎ８          減勢水位、又は越流水位
Ｃ、Ｃ１、Ｃ２、Ｃ３、・・・・Ｃｎ    可動型津波防波堤、可動型防波堤
Ｃ１ａ、Ｃ２ａ、Ｃ３ａ、・・・Ｃｎａ  構造可動防波堤、可動防波堤
Ｃ１ｂ、Ｃ２ｂ、Ｃ３ｂ、・・・Ｃｎｂ  重力可動防波堤、可動防波堤
Ｃ１１、Ｃ２１、Ｃ３１、・・・Ｃｎ１    可動防波堤躯体（梁及び/又はスラブ                                              等）
Ｃ１１ａ、Ｃ２１ａ、・・・・・Ｃｎ１ａ  可動防波堤躯体前部、又は躯体前部
Ｃ１１ｂ、Ｃ２１ｂ、・・・・・Ｃｎ１ｂ  可動防波堤躯体後部、又は躯体後部
Ｃ１２、Ｃ２２、Ｃ３２、・・・Ｃｎ２    可動防波堤躯体浮子本体、又浮子本
体
Ｃ１３、Ｃ２３、Ｃ３３、・・・Ｃｎ３    躯体を起立倒伏自在とするピン、
又は、躯体ピン
Ｃ１４、Ｃ２４、Ｃ３４、・・・Ｃｎ４    躯体を起立倒伏させる装置、又は
起立倒伏装置
Ｃ１４ａ、Ｃ２４ａ、・・・・・Ｃｎ４ａ  起立倒伏装置収納室（モーター、歯                車、プーリー等及び/又はオイル、又は空気等利用のジャッキ等収納）
Ｃ１４ｂ、Ｃ２４ｂ、・・・・・Ｃｎ４ｂ  機器装置（上記起立倒伏装置で動く                シャフト又はジャッキ）
Ｃ１４ＰＮ、Ｃ２４ＰＮ、・・・Ｃｎ４ＰＮ  装置ピン（上記機器装置のシャフト              と躯体と連結して回転自在となすピン）
Ｃ１５、Ｃ２５、・・・・・・・Ｃｎ５      躯体上面設備（太陽光パネル、又は              道路、歩道等の施設）
Ｃ１６、Ｃ２６、Ｃ３６、・・・Ｃｎ６      基礎
Ｃ１６ａ、Ｃ２６ａ、・・・・・Ｃｎ６ａ    基礎柱
Ｄ、Ｄ１、Ｄ２、Ｄ３、・・・Ｄｎ    固定型津波防波堤、固定型防波堤
固定防波堤（重力式）
Ｄ１１，Ｄ２１・・・・・・Ｄｎ１    防波堤頂面、頂部
Ｄ１２、Ｄ２２・・・・・・Ｄｎ２    排水越流頂面
Ｄ１３、Ｄ２３・・・・・・Ｄｎ３    防波堤法面工
Ｄ１３ａ、Ｄ２３ａ・・・・Ｄｎ３ａ  防波堤前面法面工
Ｄ１３ｂ、Ｄ２３ｂ・・・・Ｄｎ３ｂ  防波堤後面法面工
Ｄ１３ｃ、Ｄ２３ｃ・・・・Ｄｎ３ｃ  法面工基礎
Ｄ１４、Ｄ２４・・・・・・・・Ｄｎ４  基礎マウンド
Ｄ１５、Ｄ２５・・・・・・・・Ｄｎ５  防波堤底板
Ｄ１６、Ｄ２６・・・・・・・・Ｄｎ６  防波堤壁  
Ｄ１７、Ｄ２７・・・・・・・・Ｄｎ７  吸出防止材
ＥＤ・・・沖合、湾口、海浜等に作る本発明の固定型又は可動型防波堤
Ｅ・・・マウンド固定型防波堤、マウンド防波堤（海上又は、海中を含む）
Ｅ１・・・マウンドブロック（該ブロックと隣接ぶろっク同志を鉛直方向及び/又                は水平方向に連結材で連結する。
Ｅ１・・・マウンドブロック、Ｅ１０・・・連結手段、Ｅ１１・・・水平連結
具、水平連結材Ｅ１１ａ・・・本体水平連結材、Ｅ１１ｂ・・隣接水平連結材
Ｅ１１ａ１・・・上段水平連結材、Ｅ１１ａ１１・・・連結材部アンカー  
Ｅ１２・・・鉛直連結具、鉛直連結材、Ｅ１２ａ・・・本体鉛直連結材
Ｅ１２ａ１ＰＬ・・・ワッシャ、Ｅ１２ａ１ＴＰ・・・取付プレート
Ｅ１２ａ１ＴＢ・・・ボルト、  Ｅ１２ａ１ＮＴ・・・ナット
Ｅ１２ａ２・・・連結用袋
Ｅ２・・・連結孔、Ｅ２１・・・水平連結孔、Ｅ２１ａ・・・本体連結孔
Ｅ２１ｂ・・・隣接連結孔
Ｅ２１・・・鉛直連結孔、Ｅ２２ａ・・・本体鉛直連結孔、
Ｅ２２ｂ・・・隣接鉛直連結孔
Ｅ２２ｃ・・・連結孔の凹凸面
Ｅ３・・・充填材
Ｅ４・・・マウンド法面工
Ｅ３１                              海底マウンド法面工
Ｅ３２                              海底マウンド法面基礎
Ｆ、Ｆ１、Ｆ２、・・・・・・Ｆｎ    減勢工
Ｆ１１、Ｆ２１、・・・・・・Ｆｎ１  減勢工越流水頂面、越流水頂面
Ｆ１２ＬＷＬ、・・・・Ｆｎ２ＬＷＬ  減勢工津波引き水位
Ｆ１Ｗ１〜Ｗｎ、・・ＦｎＷ１〜Ｗｎ  減勢工越流水圧
Ｆ２Ｗ１〜Ｗｎ、・・ＦｎＷ１〜Ｗｎ  減勢工越流水面
Ｆ１３、Ｆ２３・・・・・Ｆｎ３      減勢工底板
Ｇ、・・・・・・・・・・・・・・・  グランド、地面、地盤
Ｇ１０・・・・・・・・・・・・・・  陸地
Ｇ１１、・・・・・・・・・・・・・  陸地内道路
Ｇ１２、・・・・・・・・・・・・・  陸地内宅地、
Ｇ２０・・・・・・・・・・・・・・  海面
Ｇ２１・・・・・・・・・・・・・    海底地盤、海底地盤面
Ｇ３・・・・・・・・・・・・・・    風力発電装置
ＧＭＷＬ・・・・・・・・・・・・    沖合防波堤の陸地側常時水面
Ｈ、Ｈ１０、Ｈ２０、・・Ｈｎ０  波力発電装置、波力発電型津波防波堤
Ｈ１・・発電用躯体、又は躯体、Ｈ１１・・導流受圧壁、シリンダ壁
Ｈ１２・・導流壁、Ｈ１３・・受圧底板、
Ｈ１４・・導流底板、Ｈ１４ａ・・シャッター戸当たり、
Ｈ１４ｂ・・導流底板アプローチ
Ｈ１５・・遮水壁、止水壁、シトパイル、Ｈ１６・・基礎砕石、Ｈ１７・・杭
Ｈ１８・・マウンド、Ｈ１８ａ・・堤内マウンド、Ｈ１８ｂ・・堤外マウンド
Ｈ２・・動力装置、ピストン装置、Ｈ２１・・導流受圧板、ピストン板
Ｈ２２・・導流受圧板誘導柱、ピストン板誘導柱、
Ｈ２３・・受圧板連結柱、Ｈ２４・・連結梁、Ｈ２５・・誘導柱頂部、
Ｈ２６・・トラ又は張り材
Ｈ３・・梃子梁装置、Ｈ３１・・梃子梁、Ｈ３１ａ・・梃子梁長辺、
Ｈ３１ｂ・・梃子梁短辺、Ｈ３２・・梃子梁支点、Ｈ３３・・梃子梁安定柱
Ｈ４・・支点装置、Ｈ４１・・ピン又はヒンジ、支承、Ｈ４２・・ピン支柱、
Ｈ４３・・支柱底板、Ｈ４４・・基礎砕石（捨コンを含む）、Ｈ４５・・杭
Ｈ４６・・延伸縮装置と発電設備架台
Ｈ５・・延伸縮装置、
Ｈ６・・発電設備、Ｈ６ａ・・増速ギアー、Ｈ６ｂ・・発電機、
Ｈ６１・・アーム、
Ｈ６２・・回転板又はフライホイル、Ｈ７・・固定防波堤、
Ｈ８・・可動防波堤、ＨＭＷＬ・・平常発電水位、
Ｈ９・・シャッター、又は水門、Ｈ９ａ・・シャッター補強用構造材、
Ｈ９ｂ・・シャッターボックス、Ｈ９ｃ・・浮子本体
ＨＭＷＬ１・・平常発電水位上限、ＨＭＷＬ２・・平常発電水位下限
Ｉ１、Ｉ２・・Ｉｎ  鞘型津波防波堤、鞘型防波堤
Ｉ１１、Ｉ２１・・Ｉｎ１  鞘躯体、鞘手段
Ｉ１１ａ、Ｉ２１ａ・・Ｉｎ１ａ    鞘躯体底板
Ｉ１１ｂ、Ｉ２１ｂ・・・・Ｉｎ１ｂ  鞘躯体基礎
Ｉ１１ｃ、Ｉ２１ｃ・・・・Ｉｎ１ｃ  鞘躯体基礎アンカー
Ｉ１１ｄ、Ｉ２１ｄ・・・・Ｉｎ１ｄ  基礎ウィング
Ｉ１１０、Ｉ２１０・・・鞘躯体と鞘中子躯体とのラップ長、係止長さ
Ｉ１２、Ｉ２２・・Ｉｎ２  中子躯体
Ｉ１２ａ、Ｉ２２ａ、・・・Ｉｎ２ａ  中子躯体蓋
Ｉ１２ａ１、Ｉ２２ａ１・・・Ｉｎ２ａ１中子躯体天端施設（太陽光パネル、風力                              発電装置、花壇等）
Ｉ１２ｂ、Ｉ２２ｂ・・・Ｉｎ２ｂ  中子躯体底板
Ｉ１２ｃ、Ｉ２２ｃ・・・Ｉｎ２ｃ  中子躯体ロ−ラー、又はベアリング
Ｉ１３、Ｉ２３・・・・・・Ｉｎ３  機器装置、機器装置室
Ｉ１３ａ、Ｉ２３ａ・・・・Ｉｎ３ａ  動力装置（モ−ター、配線、配管、ギ                                      アー、プ−リ、ドラム等）
Ｉ１３ｂ、Ｉ２３ｂ・・・・Ｉｎ３ｂ伸縮装置、伸縮手段（ジャッキ、バネ、浮子                                本体、蛇腹等）
Ｉ１３ｃ、Ｉ２３ｃ・・・・バネ中空管
Ｉ１３ｄ、Ｉ２３ｄ・・・・バネロープ
Ｉ１４、Ｉ２４、・・・・・Ｉｎ４  転倒防止装置
Ｉ１４ａ、Ｉ２４ａ・・・・  控柱、控壁
Ｉ１４ｂ、Ｉ２４ｂ・・・・控柱基礎、控壁基礎、基礎
Ｉ１４ｃ、Ｉ２４ｃ・・・・アンカー
Ｉ１４ｄ、Ｉ２４ｄ・・・・アンカ止
Ｉ６１・・鞘躯体、Ｉ６１ａ・・鞘躯体主柱、Ｉ６１ｂ・・鞘躯体控柱
Ｉ６１ｃ・・ピット、Ｉ６２・・中子躯体、Ｉ６２ａ・・中子躯体主柱、
Ｉ６２ｂ・・中子躯体控柱、Ｉ６２１ａ・・主柱ラック、Ｉ６２１ｂ・・
控柱ラック、Ｉ６２２ａ・・止水板、Ｉ６２３ａ・・張出梁、Ｉ６２３１ａ
・・ローラー、ギアー、プ―リー等、Ｉ６３・・機器装置、Ｉ６３１ａ・・
モーター、Ｉ６３１ｂ・・主柱ギアー等、Ｉ６３２ｂ・・控柱ギアー等
Ｉ６２３ａ１・・ローラー、Ｉ６５・・区間
Ｋ１、Ｋ２、・・・・・・・・・Ｋｎ  移動型防波堤
Ｋａ、Ｋｂ・・・・・・・・・        移動型防波堤
ＡＰ１、ＡＰ２、・・・・・・・ＡＰｎ  築堤型津波防波堤、築堤型防波堤
ＡＰ０１、ＡＰ０２・・・・・・ＡＰ０ｎ築堤防波堤上部工（固定型防波堤、
可動型防波堤、波力発電型防波堤、減勢工、太陽光発電設備、風力発電施設等
のいずれか又は全部）
ＡＰ１１、ＡＰ２１、・・・・・・ＡＰｎ１  築堤型浮子本体、浮子本体
ＡＰ１２、ＡＰ２２・・・・・・・ＡＰｎ２  築堤型（部）アンカー、アンカー
アンカー躯体
ＡＰ１２ａ、ＡＰ２ａ・・・・・・ＡＰｎ２ａ  アンカー鉛直材
ＡＰ１２ｂ、ＡＰ２２ｂ・・・・・ＡＰｎ２ｂ  アンカー水平材
ＡＰ１２ｃ、ＡＰ２２ｃ・・・・・・ＡＰｎ２ｃ  アンカーブーレス
ＡＰ１２ｄ、ＡＰ２２ｄ・・・・・・・ＡＰｎ２ｄ  アンカーロープ（ワイヤ、鎖                                                      等を含む）
ＡＰ１２ｅ、ＡＰ２２ｅ・・・・・・・ＡＰｎｄ  アンカー突起、係止突起
ＡＰ１３、ＡＰ２３・・・・・・・・・ＡＰｎ３    築堤型遮水施設、遮水板
ＡＰ１３ａ、ＡＰ２３ａ・・・・・・・ＡＰｎ３ａ    遮水板
ＡＰ１３ｂ、ＡＰ２３ｂ・・・・・・・ＡＰｎ３ｂ    遮水板補強手段、補強                                                            材
ＡＰ１３ｃ、ＡＰ２３ｃ・・・・・・・・ＡＰｎ３ｃ  遮水板通水孔、通水孔
ＡＰ１６、ＡＰ２６・・・・・・・・・・・ＡＰｎ６  アンカ止工、基礎杭等
ＡＡ１、ＡＡ２、・・・・・・・・・・・・・ＡＡｎ  築堤型浮子型可動防波堤、
浮子型可動防波堤
ＡＡ１１、ＡＡ２１・・・・・・・・ＡＡｎ１  築堤型浮子本体、浮子本体
ＡＡ１１ａ、ＡＡ２１ａ・・・・・・ＡＡｎ１ａ  浮子本体
ＡＡ１１ｂ、ＡＡ２１ｂ・・・・・・ＡＡｎ１ｂ  第２の浮子本体
ＡＡ１２、ＡＡ２２・・・・・・ＡＡｎ２    築堤型浮子アンカー、アンカー
ＡＡ１３、ＡＡ２３・・・・・・ＡＡｎ３    築堤型アンカー収納箱、アンカー収                                                納箱
ＡＡ１４、ＡＡ２４・・・・・・・ＡＡｎ４    築堤型操作設備機
ＡＡ１５、ＡＡ２５・・・・・・・ＡＡｎ５    築堤型基礎、設置台
ＡＡ１５ａ、ＡＡ２５ａ・・・・・ＡＡｎ５ａ  設置台鉛直材
ＡＡ１５ｂ、ＡＡ２５ｂ・・・・・ＡＡｎ５ｂ  設置台水平材
ＡＡ１５ｃ、ＡＡ２５ｃ・・・・・ＡＡｎ５ｃ  設置台ブレ‐ス
ＡＡ１６、ＡＡ２６・・・・・・・ＡＡｎ６    築堤型アンカー止
ＴＷ０・・浮子本体浮上水位又は水面、ＴＷ１・・浮子本体等の津波第１波
水面又は水位、ＴＷ２・・浮子本体等の津波第２波水面又は水位
ＴＷｎ・・浮子本体等の津波第ｎ波水面又は水位
ＭＷＬ・・平時水位、常時水位
ＨＷ０・・平時、常時流水
ＨＷ１・・平時又は常時流水方向
ＫＷ１・・海中又は海底近傍の流水力又は流水圧、海中流水力又は流水圧
ＨＭＷＬ・・常時発電水位
【図１】
2013122115.tif 000003
【図２】
2013122115.tif 000004
【図３】
2013122115.tif 000005
【図４】
2013122115.tif 000006
【図５】
2013122115.tif 000007
【図６】
2013122115.tif 000008
【図７】
2013122115.tif 000009
【図８】
2013122115.tif 000010
【図９】
2013122115.tif 000011
【図１０】
2013122115.tif 000012
【図１１】
2013122115.tif 000013
【図１２】
2013122115.tif 000014
【図１３】
2013122115.tif 000015
【図１４】
2013122115.tif 000016
【図１５】
2013122115.tif 000017
【図１６】
2013122115.tif 000018
【図１７】
2013122115.tif 000019
【図１８】
2013122115.tif 000020
【図１９】
2013122115.tif 000021
【図２０】
2013122115.tif 000022
【図２１】
2013122115.tif 000023
【図２２】
2013122115.tif 000024
【図２３】
2013122115.tif 000025
【図２４】
2013122115.tif 000026
【図２５】
2013122115.tif 000027
【図２６】
2013122115.tif 000028
【図２７】
2013122115.tif 000029
【図２８】
2013122115.tif 000030
【図２９】
2013122115.tif 000031
【図３０】
2013122115.tif 000032
【図３１】
2013122115.tif 000033
【図３２】
2013122115.tif 000034
【図３３】
2013122115.tif 000035
【図３４】
2013122115.tif 000036
【図３５】
2013122115.tif 000037
【図３６】
2013122115.tif 000038
【図３７】
2013122115.tif 000039
【図３８】
2013122115.tif 000040
【図３９】
2013122115.tif 000041
【図４０】
2013122115.tif 000042
【図４１】
2013122115.tif 000043
【図４２】
2013122115.tif 000044
【図４３】
2013122115.tif 000045
【図４４】
2013122115.tif 000046
【図４５】
2013122115.tif 000047
【図４６】
2013122115.tif 000048